(57)【要約】【課題】着信端末が通話中の場合に、着信端末の通話終了を発信端末に通知する通話終了通知サービスを、ＩＰ網において提供可能とする通信方法および通信システム提供する。【解決手段】着信端末５ｂを収容する加入者サーバ（着）１ｂが、発信端末５ａからの発呼信号を受信し、着信端末５ｂの話中を検出すると、話中監視登録可通知を加入者サーバ（発）１ａに送信する。そして、発信端末からの話中終了通知サービスを利用する旨の発呼情報に基づき、加入者サーバ（発）１ａは、着信端末番号および発信端末番号をアプリケーションサーバ２に送信し、アプリケーションサーバ２は、話中監視登録情報として登録する。着信端末５ｂの話中終了通知を受信したアプリケーションサーバ２は、話中監視登録情報に着信端末番号および発信端末番号が登録されている場合に、着信端末５ｂの通話が終了した旨を発信端末５ａに通知する。【選択図】図１
2011244042.tif 000002
【特許請求の範囲】
【請求項１】
発信端末から着信端末への発呼信号を、ＩＰ網上で用いられるプロトコルに変換する発側のＩＰ変換装置と、前記発側のＩＰ変換装置を収容し前記発呼信号の呼制御を行う発側の加入者サーバと、前記発側の加入者サーバから前記発呼信号を受信し、着側のＩＰ変換装置に向けて前記着信端末に接続するための前記発呼信号を送信する着側の前記加入者サーバと、前記着信端末が通話中の場合に通話終了を監視し、当該着信端末の通話終了を通知するための指示を行うアプリケーションサーバと、前記通話終了のガイダンスを出力するメディアサーバとを備え、前記発信端末へ前記着信端末の通話終了を通知する通話終了通知サービスを提供する通信システムに用いられる通信方法であって、
前記着側の加入者サーバは、
前記発信端末からの発呼信号を前記着信端末に接続できず、前記着側のＩＰ変換装置から前記着信端末の着信端末番号が付された話中切断信号を受信した場合に、前記着信端末の話中監視登録可通知を、前記話中切断信号に付して、前記発側の加入者サーバに送信し、
前記発側の加入者サーバは、
前記話中切断信号を受信した時刻を示す話中検出時刻および前記話中切断信号に付された着信端末番号を、話中検出情報として当該発側の加入者サーバの記憶部に記憶し、前記発側のＩＰ変換装置を介して前記話中切断信号を前記発信端末に送信し、
当該発信端末から前記発側のＩＰ変換装置を介して、前記通話終了通知サービスの利用を示す所定の信号および当該発信端末の発信端末番号が付された発呼信号を受信すると、前記話中検出情報を付した当該発呼信号を前記アプリケーションサーバに送信し、
前記アプリケーションサーバは、
前記話中検出情報に含まれる話中検出時刻と当該発呼信号を受信した時刻とを比較し、その時間差が所定時間以内であるときに、前記話中切断信号に付された着信端末番号および当該発呼信号に付された発信端末番号を、当該アプリケーションサーバの記憶部に保持し、前記着信端末の話中監視登録の指示入力を促すガイダンス出力指示をメディアサーバに送信し、
前記メディアサーバは、
前記発信端末に、前記話中監視登録の指示入力を促すガイダンスを出力し、前記発信端末から前記話中監視登録を示す情報を受信して、前記アプリケーションサーバに送信し、
前記アプリケーションサーバは、
前記記憶部に保持した前記着信端末番号および前記発信端末番号を付して、話中監視の開始を要求する話中監視登録通知を生成し、前記着側の加入者サーバに送信し、
前記着側の加入者サーバは、
前記話中監視登録通知に付された前記着信端末番号および前記発信端末番号を、当該着側の加入者サーバの記憶部に話中監視情報として登録し、前記登録したことを示す要求成功信号を、前記アプリケーションサーバに送信し、
前記アプリケーションサーバは、
前記要求成功信号を受信すると、当該アプリケーションサーバの記憶部に保持した前記着信端末番号および前記発信端末番号を、話中監視登録情報として当該記憶部に登録し、
前記着側の加入者サーバは、
前記着信端末からの話中終了情報を前記着側のＩＰ変換装置を介して受信すると、当該着信端末の話中監視情報から抽出した前記着信端末番号および前記発信端末番号を付した話中終了通知を生成し、前記アプリケーションサーバに送信し、
前記アプリケーションサーバは、
前記話中終了通知に付された前記着信端末番号および前記発信端末番号が、前記話中監視登録情報に登録されているのを確認して、前記話中終了通知を受信した旨のガイダンス出力指示を前記メディアサーバに送信し、
前記メディアサーバは、
前記着信端末の前記話中終了通知を受信した旨のメッセージを前記発信端末に出力すること
を特徴とする通信方法。
【請求項２】
前記アプリケーションサーバは、
前記話中終了通知を受信した旨のメッセージを、前記発信端末に対して、前記メディアサーバに出力させた後に、
前記通話終了通知サービスの利用を示す所定の信号および前記発信端末番号が付された発呼信号を受信した前記発側の加入者サーバから、前記話中検出情報を付した前記発呼信号を受信したとき、
前記発呼信号に付された話中検出情報の前記着信端末番号と、前記発信端末の発信端末番号とが、前記話中監視登録情報に、登録済みか否かを判定し、
前記話中監視登録情報に登録済みと判定した場合に、前記着信端末への再発信の指示入力を促すガイダンス出力指示を前記メディアサーバに送信し、
前記メディアサーバは、
前記発信端末に、前記着信端末への再発信の指示入力を促すガイダンスを出力し、前記発信端末から前記再発信を示す情報を受信して、前記アプリケーションサーバに送信し、
前記アプリケーションサーバは、
前記再発信を示す発呼信号を、前記発側の加入者サーバ、前記着側の加入者サーバ、および前記着側のＩＰ変換装置を介して、前記着信端末へ送信すること
を特徴とする請求項１に記載の通信方法。
【請求項３】
前記アプリケーションサーバは、
前記話中終了通知を前記着側の加入者サーバから受信すると、当該話中終了通知を受信した旨を示す話中終了通知受信情報を前記話中監視登録情報に記憶し、
前記通話終了通知サービスの利用を示す所定の信号および前記発信端末番号が付された発呼信号を受信した前記発側の加入者サーバから、前記話中検出情報を付した前記発呼信号を受信したとき、
前記発呼信号に付された話中検出情報の前記着信端末番号と、前記発信端末の発信端末番号とが、前記話中監視登録情報に、登録済みか否かを判定し、
前記話中監視登録情報に登録済みと判定した場合に、前記アプリケーションサーバにおける前記話中終了通知の受信確認の指示入力を促すガイダンス出力指示を前記メディアサーバに送信し、
前記メディアサーバは、
前記アプリケーションサーバのガイダンス出力指示に基づき、当該話中終了通知の受信確認の指示入力を促すガイダンスを前記発信端末に出力し、前記発信端末から前記アプリケーションサーバにおける話中終了通知の受信確認を示す情報を受信して、前記アプリケーションサーバに送信し、
前記アプリケーションサーバは、
前記話中監視登録情報に、前記話中終了通知受信情報が記憶されているか否かを判定し、
前記話中終了通知受信情報が記憶されていると判定した場合に、前記話中終了通知を受信した旨のガイダンス出力指示をメディアサーバに送信し、
前記メディアサーバは、
前記話中終了通知を受信した旨のメッセージを前記発信端末に出力し、
前記アプリケーションサーバは、
前記話中監視登録情報に、前記話中終了通知受信情報が記憶されていないと判定した場合に、
前記話中終了通知未受信を示すガイダンス出力指示をメディアサーバに送信し、
前記メディアサーバは、
前記話中終了通知未受信を示すメッセージを、前記発信端末に出力すること
を特徴とする請求項１に記載の通信方法。
【請求項４】
前記アプリケーションサーバは、
前記通話終了通知サービスの利用を示す所定の信号および前記発信端末番号が付された発呼信号を受信した前記発側の加入者サーバから、前記話中検出情報を付した前記発呼信号を受信したとき、
前記発呼信号に付された話中検出情報の前記着信端末番号と、前記発信端末の発信端末番号とが、前記話中監視登録情報に、登録済みか否かを判定し、
前記話中監視登録情報に登録されていると判定した場合に、前記着信端末の話中監視登録情報を消去するか否かの選択入力を促すガイダンス出力指示をメディアサーバに送信し、
前記メディアサーバは、
前記発信端末に、前記着信端末の話中監視登録情報を消去するか否かの選択入力を促すガイダンスを出力し、前記発信端末から前記話中監視登録情報の消去を指示する情報を受信したとき、当該話中監視登録情報の消去を指示する情報を前記アプリケーションサーバに送信し、
前記アプリケーションサーバは、
前記受信した話中監視登録情報の消去を指示する情報に基づき、前記着信端末の話中監視登録情報を消去すること
を特徴とする請求項１に記載の通信方法。
【請求項５】
前記アプリケーションサーバは、
前記着側の加入者サーバから、前記着信端末番号および前記発信端末番号を、前記話中監視情報として登録したことを示す要求成功信号を受信したときに、当該要求成功信号を受信した時刻を示す監視時刻を、さらに前記話中監視登録情報に記憶し、
前記監視時刻から所定の時間経過したとき、前記着信端末の話中監視の終了と判定し、前記話中監視の終了を示すガイダンス出力指示を前記メディアサーバに送信して、当該着信端末の話中監視登録情報を消去し、
前記メディアサーバは、
前記着信端末の話中監視の終了を示すメッセージを前記発信端末に出力すること
を特徴とする請求項１に記載の通信方法。
【請求項６】
ＩＰ網とＰＳＴＮとを接続する関門中継サーバを備え、
前記ＩＰ網内に、
発信端末と、前記発信端末からの発呼信号をＩＰ網上で用いられるプロトコルに変換する発側のＩＰ変換装置と、前記発側のＩＰ変換装置を収容し前記発呼信号の呼制御を行う発側の加入者サーバと、前記着信端末の通話終了を通知するための指示を行うアプリケーションサーバと、前記通話終了のガイダンスを出力するメディアサーバとを備え、
前記ＰＳＴＮ内に、
前記関門中継サーバからの発呼信号を、前記着信端末に接続する加入者交換機と、
前記加入者交換機に収容される前記着信端末と、を備え、
前記発信端末へ前記着信端末の通話終了を通知する通話終了通知サービスを提供する通信システムに用いられる通信方法であって、
前記加入者交換機は、
前記発信端末からの発呼信号を前記着信端末に接続できず、前記着信端末から話中切断信号を受信した場合に、前記着信端末の着信端末番号を含めた話中監視登録可通知を、前記話中切断信号に付して、前記関門中継サーバに送信し、
前記関門中継サーバは、
前記話中切断信号を、前記ＩＰ網内のプロトコルに変換して前記発側の加入者サーバに送信し、
前記発側の加入者サーバは、
前記話中切断信号を受信した時刻を示す話中検出時刻および前記話中切断信号に付された着信端末番号を、話中検出情報として当該発側の加入者サーバの記憶部に記憶し、前記発側のＩＰ変換装置を介して前記話中切断信号を前記発信端末に送信し、
当該発信端末から前記発側のＩＰ変換装置を介して、前記通話終了通知サービスの利用を示す所定の信号および当該発信端末の発信端末番号が付された発呼信号を受信すると、前記話中検出情報を付した当該発呼信号を前記アプリケーションサーバに送信し、
前記アプリケーションサーバは、
前記話中検出情報に含まれる話中検出時刻と当該発呼信号を受信した時刻とを比較し、その時間差が所定時間以内であるときに、前記話中切断信号に付された着信端末番号および当該発呼信号に付された発信端末番号を、当該アプリケーションサーバの記憶部に保持し、前記着信端末の話中監視登録の指示入力を促すガイダンス出力指示をメディアサーバに送信し、
前記メディアサーバは、
前記発信端末に、前記話中監視登録の指示入力を促すガイダンスを出力し、前記発信端末から前記話中監視登録を示す情報を受信して、前記アプリケーションサーバに送信し、
前記アプリケーションサーバは、
前記記憶部に保持した前記着信端末番号および前記発信端末番号を付して、話中監視の開始を要求する話中監視登録通知を生成し、前記関門中継サーバに送信し、
前記関門中継サーバは、
前記話中監視登録通知を、前記ＰＳＴＮ内のプロトコルに変換して前記加入者交換機に送信し、
前記加入者交換機は、
前記話中監視登録通知に付された前記着信端末番号および前記発信端末番号を、当該加入者サーバの記憶部に話中監視情報として登録し、前記登録したことを示す要求成功信号を、前記関門中継サーバに送信し、
前記関門中継サーバは、
前記要求成功信号を、前記ＩＰ網内のプロトコルに変換して前記アプリケーションサーバに送信し、
前記アプリケーションサーバは、
前記要求成功信号を受信すると、当該アプリケーションサーバの記憶部に保持した前記着信端末番号および前記発信端末番号を、話中監視登録情報として当該記憶部に登録し、
前記加入者交換機は、
前記着信端末からの話中終了情報を受信すると、当該着信端末の話中監視情報から抽出した前記着信端末番号および前記発信端末番号を付した話中終了通知を生成し、前記関門中継サーバに送信し、
前記関門中継サーバは、
前記話中終了通知を、前記ＩＰ網内のプロトコルに変換して前記アプリケーションサーバに送信し、
前記アプリケーションサーバは、
前記話中終了通知に付された前記着信端末番号および前記発信端末番号が、前記話中監視登録情報に登録されているのを確認して、前記話中終了通知を受信した旨のガイダンス出力指示を前記メディアサーバに送信し、
前記メディアサーバは、
前記着信端末の話中終了通知を受信した旨のメッセージを前記発信端末に出力すること
を特徴とする通信方法。
【請求項７】
前記アプリケーションサーバは、
前記話中終了通知を受信した旨のメッセージを、前記発信端末に対して、前記メディアサーバに出力させた後に、
前記通話終了通知サービスの利用を示す所定の信号および前記発信端末番号が付された発呼信号を受信した前記発側の加入者サーバから、前記話中検出情報を付した前記発呼信号を受信したとき、
前記発呼信号に付された話中検出情報の前記着信端末番号と、前記発信端末の発信端末番号とが、前記話中監視登録情報に、登録済みか否かを判定し、
前記話中監視登録情報に登録済みと判定した場合に、前記着信端末への再発信の指示入力を促すガイダンス出力指示を前記メディアサーバに送信し、
前記メディアサーバは、
前記発信端末に、前記着信端末への再発信の指示入力を促すガイダンスを出力し、前記発信端末から前記再発信を示す情報を受信して、前記アプリケーションサーバに送信し、
前記アプリケーションサーバは、
前記再発信を示す発呼信号を、前記発側の加入者サーバを介して前記関門中継サーバに送信し、
前記関門中継サーバは、
前記発呼信号を、前記ＰＳＴＮ内のプロトコルに変換して、前記加入者交換機を介して、前記着信端末へ送信すること
を特徴とする請求項６に記載の通信方法。
【請求項８】
前記アプリケーションサーバは、
前記通話終了通知サービスの利用を示す所定の信号および前記発信端末番号が付された発呼信号を受信した前記発側の加入者サーバから、前記話中検出情報を付した前記発呼信号を受信したとき、
前記発呼信号に付された話中検出情報の前記着信端末番号と、前記発信端末の発信端末番号とが、前記話中監視登録情報に、登録済みか否かを判定し、
前記話中監視登録情報に登録されていると判定した場合に、前記着信端末の話中監視登録情報を消去するか否かの選択入力を促すガイダンス出力指示をメディアサーバに送信し、
前記メディアサーバは、
前記発信端末に、前記着信端末の話中監視登録情報を消去するか否かの選択入力を促すガイダンスを出力し、前記発信端末から前記話中監視登録情報の消去を指示する情報を受信したとき、当該話中監視登録情報の消去を指示する情報を前記アプリケーションサーバに送信し、
前記アプリケーションサーバは、
前記受信した話中監視登録情報の消去を指示する情報に基づき、話中監視情報消去通知を生成して前記関門中継サーバに送信し、当該アプリケーションサーバの記憶部に登録した前記着信端末の話中監視登録情報を消去し、
前記関門中継サーバは、
前記話中監視情報消去通知を、前記ＰＳＴＮ内のプロトコルに変換して前記加入者交換機に送信し、
前記加入者交換機は、
前記話中監視情報消去通知に基づき、当該加入者交換機の記憶部に登録した前記着信端末の話中監視情報を消去すること
を特徴とする請求項６に記載の通信方法。
【請求項９】
前記アプリケーションサーバは、
前記関門中継サーバから、前記着信端末番号および前記発信端末番号を、前記話中監視情報として前記加入者交換機の記憶部に登録したことを示す要求成功信号を受信したときに、当該要求成功信号を受信した時刻を示す監視時刻を、さらに前記話中監視登録情報に記憶し、
前記監視時刻から所定の時間経過したとき、前記着信端末の話中監視の終了と判定し、前記話中監視の終了を示すガイダンス出力指示を前記メディアサーバに送信して、当該着信端末の話中監視登録情報を消去し、
前記メディアサーバは、
前記着信端末の話中監視の終了を示すメッセージを前記発信端末に出力し、
前記アプリケーションサーバは、
前記加入者交換機に登録された前記着信端末の話中監視情報の消去を指示する話中監視情報消去通知を生成して、前記関門中継サーバに送信し、
前記関門中継サーバは、
前記話中監視情報消去通知を、前記ＰＳＴＮ内のプロトコルに変換して前記加入者交換機に送信し、
前記加入者交換機は、
前記話中監視情報消去通知に基づき、前記着信端末の話中監視情報を消去すること
を特徴とする請求項６に記載の通信方法。
【請求項１０】
ＩＰ網とＰＳＴＮとを接続する関門中継サーバを備え、
前記ＰＳＴＮ内に、
発信端末と、前記発信端末を収容し発呼信号の呼制御を行う加入者交換機と、前記発信端末にガイダンスを出力するガイダンス装置と、を備え、
前記ＩＰ網内に、
着信端末と、前記着信端末と接続し、前記ＩＰ網上のプロトコルとメタル回線におけるプロトコルとを相互変換するＩＰ変換装置と、前記発呼信号を受信して前記ＩＰ変換装置を介して前記着信端末に接続させる加入者サーバと、を備え、
前記発信端末へ前記着信端末の通話終了を通知する通話終了通知サービスを提供する通信システムに用いられる通信方法であって、
前記加入者サーバは、
前記発信端末からの発呼信号を前記着信端末に接続できず、前記ＩＰ変換装置から前記着信端末の着信端末番号が付された話中切断信号を受信した場合に、前記着信端末の話中監視登録可通知を、前記話中切断信号に付して、前記関門中継サーバに送信し、
前記関門中継サーバは、
前記話中切断信号を、前記ＰＳＴＮ内のプロトコルに変換して前記加入者交換機に送信し、
前記加入者交換機は、
前記話中切断信号を受信した時刻を示す話中検出時刻および前記話中切断信号に付された着信端末番号を、話中検出情報として当該加入者交換機の記憶部に記憶し、前記話中切断信号を前記発信端末に送信し、
当該発信端末から、前記通話終了通知サービスの利用を示す所定の信号および当該発信端末の発信端末番号が付された発呼信号を受信すると、前記話中検出情報に含まれる話中検出時刻と当該発呼信号を受信した時刻とを比較し、その時間差が所定時間以内であるときに、前記話中切断信号に付された着信端末番号および当該発呼信号に付された発信端末番号を、当該加入者交換機の記憶部に保持し、前記着信端末の話中監視登録の指示入力を促すガイダンス出力指示を前記ガイダンス装置に送信し、
前記ガイダンス装置は、
前記発信端末に、前記話中監視登録の指示入力を促すガイダンスを出力し、前記発信端末から前記話中監視登録を示す情報を受信して、前記加入者交換機に送信し、
前記加入者交換機は、
前記記憶部に保持した前記着信端末番号および前記発信端末番号を付して、話中監視の開始を要求する話中監視登録通知を生成し、前記関門中継サーバに送信し、
前記関門中継サーバは、
前記話中監視登録通知を、前記ＩＰ網内にプロトコルに変換して前記加入者サーバに送信し、
前記加入者サーバは、
前記話中監視登録通知に付された前記着信端末番号および前記発信端末番号を、当該加入者サーバの記憶部に話中監視情報として登録し、前記登録したことを示す要求成功信号を、前記関門中継サーバに送信し、
前記関門中継サーバは、
前記要求成功信号を、前記ＰＳＴＮ内のプロトコルに変換して前記加入者交換機に送信し、
前記加入者交換機は、
前記要求成功信号を受信すると、当該加入者交換機の記憶部に保持した前記着信端末番号および前記発信端末番号を、話中監視登録情報として当該記憶部に登録し、
前記加入者サーバは、
前記着信端末からの話中終了情報を前記ＩＰ変換装置を介して受信すると、当該着信端末の話中監視情報から抽出した前記着信端末番号および前記発信端末番号を付した話中終了通知を生成し、前記関門交換機に送信し、
前記関門交換機は、
前記話中終了通知を、前記ＰＳＴＮ内のプロトコルに変換して前記加入者交換機に送信し、
前記加入者交換機は、
前記話中終了通知に付された前記着信端末番号および前記発信端末番号が、前記話中監視登録情報に登録されているのを確認して、前記話中終了通知を受信した旨のガイダンス出力指示を前記ガイダンス装置に送信し、
前記ガイダンス装置は、
前記着信端末の前記話中終了通知を受信した旨のメッセージを前記発信端末に出力すること
を特徴とする通信方法。
【請求項１１】
前記加入者交換機は、
前記話中終了通知を受信した旨のメッセージを、前記発信端末に対して、前記ガイダンス装置に出力させた後に、
前記通話終了通知サービスの利用を示す所定の信号および前記発信端末番号が付された発呼信号を受信すると、当該発信端末番号と前記話中監視の対象となる前記着信端末の着信端末番号とが、前記話中監視登録情報に、登録済みか否かを判定し、
前記話中監視登録情報に登録済みと判定した場合に、前記着信端末への再発信の指示入力を促すガイダンス出力指示を前記ガイダンス装置に送信し、
前記ガイダンス装置は、
前記発信端末に、前記着信端末への再発信の指示入力を促すガイダンスを出力し、前記発信端末から前記再発信を示す情報を受信して、前記加入者交換機に送信し、
前記加入者交換機は、
前記再発信を示す発呼信号を、前記関門中継サーバに送信し、
前記関門中継サーバは、
前記再発信を示す発呼信号を、ＩＰ網内のプロトコルに変換して前記加入者サーバに送信し、
前記加入者サーバは、
前記再発信を示す発呼信号を、前記ＩＰ変換装置を介して、前記着信端末へ送信すること
を特徴とする請求項１０に記載の通信方法。
【請求項１２】
前記加入者交換機は、
前記通話終了通知サービスの利用を示す所定の信号および前記発信端末番号が付された発呼信号を受信すると、当該発信端末番号と前記話中監視の対象となる前記着信端末の着信端末番号とが、前記話中監視登録情報に、登録済みか否かを判定し、
前記話中監視登録情報に登録されていると判定した場合に、前記着信端末の話中監視登録情報を消去するか否かの選択入力を促すガイダンス出力指示を前記ガイダンス装置に送信し、
前記ガイダンス装置は、
前記発信端末に、前記着信端末の話中監視登録情報を消去するか否かの選択入力を促すガイダンスを出力し、前記発信端末から前記話中監視登録情報の消去を指示する情報を受信したとき、当該話中監視登録情報の消去を指示する情報を前記加入者交換機に送信し、
前記加入者交換機は、
前記受信した話中監視登録情報の消去を指示する情報に基づき、話中監視情報消去通知を生成して前記関門中継サーバに送信し、当該加入者交換機の記憶部に登録した前記着信端末の話中監視登録情報を消去し、
前記関門中継サーバは、
前記話中監視情報消去通知を、前記ＩＰ網内のプロトコルに変換して前記加入者サーバに送信し、
前記加入者サーバは、
前記話中監視情報消去通知に基づき、当該加入者サーバの記憶部に登録した前記着信端末の話中監視情報を消去すること
を特徴とする請求項１０に記載の通信方法。
【請求項１３】
前記加入者交換機は、
前記関門中継サーバから、前記着信端末番号および前記発信端末番号を、前記話中監視情報として前記加入者サーバの記憶部に登録したことを示す要求成功信号を受信したときに、当該要求成功信号を受信した時刻を示す監視時刻を、さらに前記話中監視登録情報に記憶し、
前記監視時刻から所定の時間経過したとき、前記着信端末の話中監視の終了と判定し、前記話中監視の終了を示すガイダンス出力指示を前記ガイダンス装置に送信して、当該着信端末の話中監視登録情報を消去し、
前記ガイダンス装置は、
前記着信端末の話中監視の終了を示すメッセージを前記発信端末に出力し、
前記加入者交換機は、
前記加入者サーバに登録された前記着信端末の話中監視情報の消去を指示する話中監視情報消去通知を生成して、前記関門中継サーバに送信し、
前記関門中継サーバは、
前記話中監視情報消去通知を、前記ＩＰ網内のプロトコルに変換して前記加入者サーバに送信し、
前記加入者サーバは、
前記話中監視情報消去通知に基づき、前記着信端末の話中監視情報を消去すること
を特徴とする請求項１０に記載の通信方法。
【請求項１４】
発信端末から着信端末への発呼信号を、ＩＰ網上で用いられるプロトコルに変換する発側のＩＰ変換装置と、前記発側のＩＰ変換装置を収容し前記発呼信号の呼制御を行う発側の加入者サーバと、前記発側の加入者サーバから前記発呼信号を受信し、着側のＩＰ変換装置に向けて前記着信端末に接続するための前記発呼信号を送信する着側の前記加入者サーバと、前記着信端末が通話中の場合に通話終了を監視し、当該着信端末の通話終了を通知するための指示を行うアプリケーションサーバと、前記通話終了のガイダンスを出力するメディアサーバとを備え、前記発信端末へ前記着信端末の通話終了を通知する通話終了通知サービスを提供する通信システムであって、
前記着側の加入者サーバは、
前記発信端末からの発呼信号を前記着信端末に接続できず、前記着側のＩＰ変換装置から前記着信端末の着信端末番号が付された話中切断信号を受信した場合に、前記着信端末の話中監視登録可通知を、前記話中切断信号に付して、前記発側の加入者サーバに送信し、
前記発側の加入者サーバは、
前記話中切断信号を受信した時刻を示す話中検出時刻および前記話中切断信号に付された着信端末番号を、話中検出情報として当該発側の加入者サーバの記憶部に記憶し、前記発側のＩＰ変換装置を介して前記話中切断信号を前記発信端末に送信し、
当該発信端末から前記発側のＩＰ変換装置を介して、前記通話終了通知サービスの利用を示す所定の信号および当該発信端末の発信端末番号が付された発呼信号を受信すると、前記話中検出情報を付した当該発呼信号を前記アプリケーションサーバに送信し、
前記アプリケーションサーバは、
前記話中検出情報に含まれる話中検出時刻と当該発呼信号を受信した時刻とを比較し、その時間差が所定時間以内であるときに、前記話中切断信号に付された着信端末番号および当該発呼信号に付された発信端末番号を、当該アプリケーションサーバの記憶部に保持し、前記着信端末の話中監視登録の指示入力を促すガイダンス出力指示をメディアサーバに送信し、
前記メディアサーバは、
前記発信端末に、前記話中監視登録の指示入力を促すガイダンスを出力し、前記発信端末から前記話中監視登録を示す情報を受信して、前記アプリケーションサーバに送信し、
前記アプリケーションサーバは、
前記記憶部に保持した前記着信端末番号および前記発信端末番号を付して、話中監視の開始を要求する話中監視登録通知を生成し、前記着側の加入者サーバに送信し、
前記着側の加入者サーバは、
前記話中監視登録通知に付された前記着信端末番号および前記発信端末番号を、当該着側の加入者サーバの記憶部に話中監視情報として登録し、前記登録したことを示す要求成功信号を、前記アプリケーションサーバに送信し、
前記アプリケーションサーバは、
前記要求成功信号を受信すると、当該アプリケーションサーバの記憶部に保持した前記着信端末番号および前記発信端末番号を、話中監視登録情報として当該記憶部に登録し、
前記着側の加入者サーバは、
前記着信端末からの話中終了情報を前記着側のＩＰ変換装置を介して受信すると、当該着信端末の話中監視情報から抽出した前記着信端末番号および前記発信端末番号を付した話中終了通知を生成し、前記アプリケーションサーバに送信し、
前記アプリケーションサーバは、
前記話中終了通知を受信した旨のガイダンス出力指示を前記メディアサーバに送信し、
前記メディアサーバは、
前記話中終了通知に付された前記着信端末番号および前記発信端末番号が、前記話中監視登録情報に登録されているのを確認して、前記着信端末の前記話中終了通知を受信した旨のメッセージを前記発信端末に出力すること
を特徴とする通信システム。
【請求項１５】
前記アプリケーションサーバは、
前記話中終了通知を受信した旨のメッセージを、前記発信端末に対して、前記メディアサーバに出力させた後に、
前記通話終了通知サービスの利用を示す所定の信号および前記発信端末番号が付された発呼信号を受信した前記発側の加入者サーバから、前記話中検出情報を付した前記発呼信号を受信したとき、
前記発呼信号に付された話中検出情報の前記着信端末番号と、前記発信端末の発信端末番号とが、前記話中監視登録情報に、登録済みか否かを判定し、
前記話中監視登録情報に登録済みと判定した場合に、前記着信端末への再発信の指示入力を促すガイダンス出力指示を前記メディアサーバに送信し、
前記メディアサーバは、
前記発信端末に、前記着信端末への再発信の指示入力を促すガイダンスを出力し、前記発信端末から前記再発信を示す情報を受信して、前記アプリケーションサーバに送信し、
前記アプリケーションサーバは、
前記再発信を示す発呼信号を、前記発側の加入者サーバ、前記着側の加入者サーバ、および前記着側のＩＰ変換装置を介して、前記着信端末へ送信すること
を特徴とする請求項１４に記載の通信システム。
【請求項１６】
前記アプリケーションサーバは、
前記話中終了通知を前記着側の加入者サーバから受信すると、当該話中終了通知を受信した旨を示す話中終了通知受信情報を前記話中監視登録情報に記憶し、
前記通話終了通知サービスの利用を示す所定の信号および前記発信端末番号が付された発呼信号を受信した前記発側の加入者サーバから、前記話中検出情報を付した前記発呼信号を受信したとき、
前記発呼信号に付された話中検出情報の前記着信端末番号と、前記発信端末の発信端末番号とが、前記話中監視登録情報に、登録済みか否かを判定し、
前記話中監視登録情報に登録済みと判定した場合に、前記アプリケーションサーバにおける前記話中終了通知の受信確認の指示入力を促すガイダンス出力指示を前記メディアサーバに送信し、
前記メディアサーバは、
前記アプリケーションサーバのガイダンス出力指示に基づき、当該話中終了通知の受信確認の指示入力を促すガイダンスを前記発信端末に出力し、前記発信端末から前記アプリケーションサーバにおける話中終了通知の受信確認を示す情報を受信して、前記アプリケーションサーバに送信し、
前記アプリケーションサーバは、
前記話中監視登録情報に、前記話中終了通知受信情報が記憶されているか否かを判定し、
前記話中終了通知受信情報が記憶されていると判定した場合に、前記話中終了通知を受信した旨のガイダンス出力指示をメディアサーバに送信し、
前記メディアサーバは、
前記話中終了通知を受信した旨のメッセージを前記発信端末に出力し、
前記アプリケーションサーバは、
前記話中監視登録情報に、前記話中終了通知受信情報が記憶されていないと判定した場合に、前記話中終了通知未受信を示すガイダンス出力指示をメディアサーバに送信し、
前記メディアサーバは、
前記話中終了通知未受信を示すメッセージを、前記発信端末に出力すること
を特徴とする請求項１４に記載の通信システム。
【請求項１７】
前記アプリケーションサーバは、
前記通話終了通知サービスの利用を示す所定の信号および前記発信端末番号が付された発呼信号を受信した前記発側の加入者サーバから、前記話中検出情報を付した前記発呼信号を受信したとき、
前記発呼信号に付された話中検出情報の前記着信端末番号と、前記発信端末の発信端末番号とが、前記話中監視登録情報に、登録済みか否かを判定し、
前記話中監視登録情報に登録されていると判定した場合に、前記着信端末の話中監視登録情報を消去するか否かの選択入力を促すガイダンス出力指示をメディアサーバに送信し、
前記メディアサーバは、
前記発信端末に、前記着信端末の話中監視登録情報を消去するか否かの選択入力を促すガイダンスを出力し、前記発信端末から前記話中監視登録情報の消去を指示する情報を受信したとき、当該話中監視登録情報の消去を指示する情報を前記アプリケーションサーバに送信し、
前記アプリケーションサーバは、
前記受信した話中監視登録情報の消去を指示する情報に基づき、前記着信端末の話中監視登録情報を消去すること
を特徴とする請求項１４に記載の通信システム。
【請求項１８】
前記アプリケーションサーバは、
前記着側の加入者サーバから、前記着信端末番号および前記発信端末番号を、前記話中監視情報として登録したことを示す要求成功信号を受信したときに、当該要求成功信号を受信した時刻を示す監視時刻を、さらに前記話中監視登録情報に記憶し、
前記監視時刻から所定の時間経過したとき、前記着信端末の話中監視の終了と判定し、前記話中監視の終了を示すガイダンス出力指示を前記メディアサーバに送信して、当該着信端末の話中監視登録情報を消去し、
前記メディアサーバは、
前記着信端末の話中監視の終了を示すメッセージを前記発信端末に出力すること
を特徴とする請求項１４に記載の通信システム。
【発明の詳細な説明】
【技術分野】
【０００１】
本発明は、ＩＰ（Internet Protocol）網において、通話終了通知サービスを提供する通信方法および通信システムに関する。
【背景技術】
【０００２】
従来の公衆電話網（レガシーネットワーク）（ＰＳＴＮ：Public Switched Telephone Network）において、電話をかけた相手の端末が通話中（以下、「話中」とよぶときがある）の際に、一旦、利用者が電話を切ってから、所定のサービス番号に登録しておくと、相手の端末の通話の終了をその利用者に通知する通話終了通知サービス（既存サービスでは「空いたらお知らせサービス」という）が提供されている。
【０００３】
この通話終了通知サービス（「空いたらお知らせサービス」）では、電話をかけた接続先の端末が話中でつながらない場合（以下、「話中検出時」とよぶときがある）、電話をかけた利用者は、一旦、電話を切り、Ｎ分以内に、所定のサービス番号（既存サービスではダイヤル「１５９」）をダイヤルし、ガイダンスにしたがって所定の操作番号（既存サービスではダイヤル「１」）を押して、通話終了通知サービスの利用を登録しておく。その後、その接続先の通話の終了が確認された時点で、電話をかけた利用者の端末に対して、通話の終了が音声で通知される。そこで、利用者は、通知を聞いた後、一旦、電話を切ってから、所定のサービス番号（ダイヤル「１５９」）をダイヤルし、所定の操作番号（既存サービスではダイヤル「３」）を押すことで、通話が終了した接続先の端末の電話番号にかけ直しをすることができる（非特許文献１参照）。
【０００４】
従来のこの通話終了通知サービス（「空いたらお知らせサービス」）は、公衆電話網（ＰＳＴＮ）を対象としたサービスであり、加入者交換機（ＧＣ）が以下の各種機能を備える。
（Ａ）接続先端末の話中検出。
（Ｂ）カスタマコントロールによる話中監視登録。
（Ｃ）カスタマコントロールによる話中監視登録消去。
（Ｄ）接続先端末の通話の終了を通知する話中終了通知。
（Ｅ）カスタマコントロールによる接続先端末への再発信。
（Ｆ）話中監視登録が、登録開始から所定の時間（Ｌ分）を超えたときに、話中監視登録を消去する話中監視登録タイムアウト。
【０００５】
以下、従来の公衆電話網（ＰＳＴＮ）における通話終了通知サービスの各機能（Ａ）〜（Ｆ）の動作手順について具体的に説明する。
【０００６】
＜話中検出（Ａ）から話中監視登録（Ｂ）まで＞
図３０は、従来のＰＳＴＮにおける通話終了通知サービスの構成、および、話中検出から話中監視登録までの処理の流れの説明図である。
【０００７】
（１）まず、発信端末５（５ａ）において、接続先端末（着信端末）の電話番号（着信端末番号）（０Ａ〜Ｊ）がダイヤルされる。
（２）加入者交換機（発）７（７ａ）は、着信端末番号（０Ａ〜Ｊ）によりルーチング処理を行う。
（３）加入者交換機（着）７（７ｂ）は、着信端末５（５ｂ）が通話相手の端末５（５ｃ）と話中であることを検出し（話中検出）、話中監視登録が可能である旨の通知（話中監視登録可通知）を含む切断信号（ＩＳＵＰ（ISDN User Part）信号ではＲＥＬ）を、加入者交換機（発）７（７ａ）に送信する。
（４）話中により、一旦、電話を切断した発信端末５ａにおいて、通話終了通知サービスのため所定のサービス番号（例えば、ダイヤル「１５９」）がダイヤルされ、ガイダンス装置３０からのガイダンスにしたがって、話中監視登録を示す所定の操作番号（例えば、ダイヤル「１」）がダイヤルされる。
（５）操作番号「１」の信号を受信した加入者交換機（発）７（７ａ）は、話中監視登録のための話中監視登録要求を、加入者交換機（着）７（７ｂ）に送信する。
（６）加入者交換機（着）７（７ｂ）は、話中監視登録を行い、話中監視登録結果（成功）を、加入者交換機（発）７（７ａ）に返信する。
（７）加入者交換機（発）７（７ａ）は、話中監視登録結果（成功）を受信し、話中監視登録を行った旨のガイダンスを発信端末５（５ａ）に出力する。
（８）加入者交換機（発）７（７ａ）は、通話終了通知サービスのサービス利用料を課金情報として生成する。
【０００８】
このようにすることで、ＰＳＴＮの通話終了通知サービスにおいて、利用者は、電話をかけた接続先の端末が話中でつながらない場合に、話中監視登録を行うことができる。
【０００９】
＜話中監視登録消去（Ｃ）＞
図３１は、従来のＰＳＴＮでの通話終了通知サービスにおける話中監視登録消去の処理の流れの説明図である。
【００１０】
（１）まず、発信端末５（５ａ）において、通話終了通知サービスのための所定のサービス番号（ダイヤル「１５９」）がダイヤルされ、ガイダンス装置３０からのガイダンスにしたがって、話中監視登録消去を示す所定の操作番号（例えば、ダイヤル「９」）がダイヤルされる。
（２）加入者交換機（発）７（７ａ）は、話中監視登録消去を示す信号（ダイヤル「９」）を受信時に、加入者交換機（着）７（７ｂ）が話中監視中の場合、登録消去要求を、加入者交換機（着）７（７ｂ）に送信する。
（３）加入者交換機（着）７（７ｂ）は、登録消去要求を受信し、話中監視登録を消去する。
【００１１】
このようにすることで、ＰＳＴＮの通話終了通知サービスにおいて、利用者は、話中監視登録を消去することができる。
【００１２】
＜話中終了通知（Ｄ）＞
図３２は、従来のＰＳＴＮでの通話終了通知サービスにおける話中終了通知の処理の流れの説明図である。
【００１３】
（１）まず、加入者交換機（着）７（７ｂ）は、着信端末５（５ｂ）の話中終了を検出すると、話中終了通知を、加入者交換機（発）７（７ａ）に送信する。
（２）加入者交換機（発）７（７ａ）は、話中終了通知を受信すると、発信端末５（５ａ）の呼出しを行う。ここで、話中監視登録した着信端末５（５ｂ）が話中終了した旨が発信端末５（５ａ）にガイダンスされる。
【００１４】
利用者が、さらに話中監視の登録状況（話中終了）を確認する場合は、電話を、一旦切ってから、（３）発信端末５（５ａ）において、通話終了通知サービスのための所定のサービス番号（ダイヤル「１５９」）がダイヤルされ、ガイダンス装置３０からのガイダンスにしたがい、話中監視の登録状況（話中終了）の確認を示す所定の操作番号（ダイヤル「８」）がダイヤルされる。
（４）加入者交換機（発）７（７ａ）は、話中終了の確認を示す信号（ダイヤル「８」）を受信時に、利用者が登録した着信端末５（５ｂ）について、話中終了通知を受信していればその旨をガイダンスし、話中終了通知を受信していなければ、つまり、話中監視の継続中（話中監視登録中）であれば、その旨をガイダンスする。
【００１５】
このようにすることで、ＰＳＴＮの通話終了通知サービスにおいて、利用者の発信端末５（５ａ）は、着信端末５（５ｂ）の話中終了の通知を受けることができる。そして、さらに、話中監視の登録状況を確認することができる。
【００１６】
＜接続先端末への再発信（Ｅ）＞
図３３は、従来のＰＳＴＮでの通話終了通知サービスにおける接続先端末（着信端末）への再発信の処理の流れの説明図である。
【００１７】
（１）まず、発信端末５（５ａ）において、通話終了通知サービスのための所定のサービス番号（ダイヤル「１５９」）がダイヤルされ、ガイダンス装置３０からのガイダンスにしたがい、話中監視登録された着信端末５（５ｂ）への再発信を示す所定の操作番号（ダイヤル「３」）がダイヤルされる。なお、図３２に示したように、所定の操作番号（ダイヤル「８」）をダイヤルして、話中監視の登録状況（話中終了）を確認した後に、再発信のための操作番号（ダイヤル「３」）がダイヤルされてもよい。
（２）加入者交換機（発）７（７ａ）は、再発信を示す信号（ダイヤル「３」）を受信すると、話中監視登録された着信端末５（５ｂ）の番号で、ルーチング処理を行う。
（３）加入者交換機（着）７（７ｂ）は、着信端末５（５ｂ）に対して着信接続を行う。
【００１８】
このようにすることで、ＰＳＴＮの通話終了通知サービスにおいて、通話が終了した着信端末５（５ｂ）に再発信をすることができる。
【００１９】
＜話中監視登録タイムアウト（Ｆ）＞
図３４は、従来のＰＳＴＮでの通話終了通知サービスにおける話中監視登録タイムアウトの処理の流れの説明図である。
【００２０】
（１）加入者交換機（発）７（７ａ）は、話中監視登録から所定時間（Ｌ分）経過しても、着信端末５（５ｂ）の話中が終了しない場合、つまり、話中終了通知を受信しない場合に、話中監視登録がタイムアウトであると判定する。
（２）加入者交換機（発）７（７ａ）は、タイムアウトを判定すると、発信端末５（５ａ）の呼出しを行い、話中監視登録の開始から所定時間が経過したため、話中監視登録を消去する旨のガイダンスを、ガイダンス装置３０に出力させる。
（３）そして、加入者交換機（発）７（７ａ）は、加入者交換機（着）７（７ｂ）へ話中監視登録の登録消去要求を送信する。
（４）加入者交換機（着）７（７ｂ）は、登録消去要求を受信すると、話中監視を解除し、話中監視登録を消去する。
【００２１】
このようにすることで、ＰＳＴＮの通話終了通知サービスにおいて、所定時間経過した話中監視登録をタイムアウトと判定し、消去することができる。
【先行技術文献】
【非特許文献】
【００２２】
【非特許文献１】ＮＴＴ東日本、「空いたらお知らせ１５９」、［online］、［平成22年4月14日検索］、インターネット＜URL： http://web116.jp/shop/benri/159/159_00.html＞
【発明の概要】
【発明が解決しようとする課題】
【００２３】
前記のように、従来の公衆回線網（ＰＳＴＮ）においては、加入者交換機（発）７（７ａ）と加入者交換機（着）７（７ｂ）とが連携することにより、通話終了通知サービスに必要な（Ａ）から（Ｆ）までの各機能を実現している。
一方、ＩＰ網では、従来、加入者交換機７が備えていた呼制御機能と音声信号の送受信機能とが、それぞれ別々に装置に配備されるため基本アーキテクチャがＰＳＴＮとは異なる。したがって、ＰＳＴＮの機能配備をそのままＩＰ網に適用することができない。また、ＩＰ網とＰＳＴＮが並存する場合において本通話終了通知サービスを提供するためには、ＩＰ網側の装置とＰＳＴＮ側の装置とが連携する必要があるが、現在のＰＳＴＮの交換機は、ＩＰ網を始めとする他網と連携する仕組みがない。そのため、従来技術のみでは、本通話終了通知サービスをＩＰ網側の利用者に提供することができない。
【００２４】
このような背景に鑑みて、本発明がなされたのであり、本発明は、ＩＰ網において、通話終了通知サービスを提供するができる通信方法および通信システムを提供することを課題とする。
【課題を解決するための手段】
【００２５】
前記課題を解決するために、本発明は、発信端末から着信端末への発呼信号を、ＩＰ網上で用いられるプロトコルに変換する発側のＩＰ変換装置と、前記発側のＩＰ変換装置を収容し前記発呼信号の呼制御を行う発側の加入者サーバと、前記発側の加入者サーバから前記発呼信号を受信し、着側のＩＰ変換装置に向けて前記着信端末に接続するための前記発呼信号を送信する着側の前記加入者サーバと、前記着信端末が通話中の場合に通話終了を監視し、当該着信端末の通話終了を通知するための指示を行うアプリケーションサーバと、前記通話終了のガイダンスを出力するメディアサーバとを備え、前記発信端末へ前記着信端末の通話終了を通知する通話終了通知サービスを提供する通信システムに用いられる通信方法であって、前記着側の加入者サーバが、前記発信端末からの発呼信号を前記着信端末に接続できず、前記着側のＩＰ変換装置から前記着信端末の着信端末番号が付された話中切断信号を受信した場合に、前記着信端末の話中監視登録可通知を、前記話中切断信号に付して、前記発側の加入者サーバに送信し、前記発側の加入者サーバが、前記話中切断信号を受信した時刻を示す話中検出時刻および前記話中切断信号に付された着信端末番号を、話中検出情報として当該発側の加入者サーバの記憶部に記憶し、前記発側のＩＰ変換装置を介して前記話中切断信号を前記発信端末に送信し、当該発信端末から前記発側のＩＰ変換装置を介して、前記通話終了通知サービスの利用を示す所定の信号および当該発信端末の発信端末番号が付された発呼信号を受信すると、前記話中検出情報を付した当該発呼信号を前記アプリケーションサーバに送信し、前記アプリケーションサーバが、前記話中検出情報に含まれる話中検出時刻と当該発呼信号を受信した時刻とを比較し、その時間差が所定時間以内であるときに、前記話中切断信号に付された着信端末番号および当該発呼信号に付された発信端末番号を、当該アプリケーションサーバの記憶部に保持し、前記着信端末の話中監視登録の指示入力を促すガイダンス出力指示をメディアサーバに送信し、前記メディアサーバが、前記発信端末に、前記話中監視登録の指示入力を促すガイダンスを出力し、前記発信端末から前記話中監視登録を示す情報を受信して、前記アプリケーションサーバに送信し、前記アプリケーションサーバが、前記記憶部に保持した前記着信端末番号および前記発信端末番号を付して、話中監視の開始を要求する話中監視登録通知を生成し、前記着側の加入者サーバに送信し、前記着側の加入者サーバが、前記話中監視登録通知に付された前記着信端末番号および前記発信端末番号を、当該着側の加入者サーバの記憶部に話中監視情報として登録し、前記登録したことを示す要求成功信号を、前記アプリケーションサーバに送信し、前記アプリケーションサーバが、前記要求成功信号を受信すると、当該アプリケーションサーバの記憶部に保持した前記着信端末番号および前記発信端末番号を、話中監視登録情報として当該記憶部に登録し、前記着側の加入者サーバが、前記着信端末からの話中終了情報を前記着側のＩＰ変換装置を介して受信すると、当該着信端末の話中監視情報から抽出した前記着信端末番号および前記発信端末番号を付した話中終了通知を生成し、前記アプリケーションサーバに送信し、前記アプリケーションサーバが、前記話中終了通知に付された前記着信端末番号および前記発信端末番号が、前記話中監視登録情報に登録されているのを確認して、前記話中終了通知を受信した旨のガイダンス出力指示を前記メディアサーバに送信し、前記メディアサーバが、前記着信端末の前記話中終了通知を受信した旨のメッセージを前記発信端末に出力することを特徴とする通信方法とした。
【００２６】
このようにすることで、従来のＰＳＴＮにおいて、発信端末を収容する発側の加入者交換機と着信端末を収容する着側の加入者交換機とが連携して行っていた話中終了通知サービスを実現するための機能を、本発明において、発側の加入者サーバ、着側の加入者サーバ、およびアプリケーションサーバに機能分担することで、ＩＰ網において、話中終了通知サービスを提供することが可能となる。
【００２７】
また、本発明は、ＩＰ網とＰＳＴＮとを接続する関門中継サーバを備え、前記ＩＰ網内に、発信端末と、前記発信端末からの発呼信号をＩＰ網上で用いられるプロトコルに変換する発側のＩＰ変換装置と、前記発側のＩＰ変換装置を収容し前記発呼信号の呼制御を行う発側の加入者サーバと、前記着信端末の通話終了を通知するための指示を行うアプリケーションサーバと、前記通話終了のガイダンスを出力するメディアサーバとを備え、前記ＰＳＴＮ内に、前記関門中継サーバからの発呼信号を、前記着信端末に接続する加入者交換機と、前記加入者交換機に収容される前記着信端末と、を備え、前記発信端末へ前記着信端末の通話終了を通知する通話終了通知サービスを提供する通信システムに用いられる通信方法であって、前記加入者交換機が、前記発信端末からの発呼信号を前記着信端末に接続できず、前記着信端末から話中切断信号を受信した場合に、前記着信端末の着信端末番号を含めた話中監視登録可通知を、前記話中切断信号に付して、前記関門中継サーバに送信し、前記関門中継サーバが、前記話中切断信号を、前記ＩＰ網内のプロトコルに変換して前記発側の加入者サーバに送信し、前記発側の加入者サーバが、前記話中切断信号を受信した時刻を示す話中検出時刻および前記話中切断信号に付された着信端末番号を、話中検出情報として当該発側の加入者サーバの記憶部に記憶し、前記発側のＩＰ変換装置を介して前記話中切断信号を前記発信端末に送信し、当該発信端末から前記発側のＩＰ変換装置を介して、前記通話終了通知サービスの利用を示す所定の信号および当該発信端末の発信端末番号が付された発呼信号を受信すると、前記話中検出情報を付した当該発呼信号を前記アプリケーションサーバに送信し、前記アプリケーションサーバが、前記話中検出情報に含まれる話中検出時刻と当該発呼信号を受信した時刻とを比較し、その時間差が所定時間以内であるときに、前記話中切断信号に付された着信端末番号および当該発呼信号に付された発信端末番号を、当該アプリケーションサーバの記憶部に保持し、前記着信端末の話中監視登録の指示入力を促すガイダンス出力指示をメディアサーバに送信し、前記メディアサーバが、前記発信端末に、前記話中監視登録の指示入力を促すガイダンスを出力し、前記発信端末から前記話中監視登録を示す情報を受信して、前記アプリケーションサーバに送信し、前記アプリケーションサーバが、前記記憶部に保持した前記着信端末番号および前記発信端末番号を付して、話中監視の開始を要求する話中監視登録通知を生成し、前記関門中継サーバに送信し、前記関門中継サーバが、前記話中監視登録通知を、前記ＰＳＴＮ内のプロトコルに変換して前記加入者交換機に送信し、前記加入者交換機が、前記話中監視登録通知に付された前記着信端末番号および前記発信端末番号を、当該加入者サーバの記憶部に話中監視情報として登録し、前記登録したことを示す要求成功信号を、前記関門中継サーバに送信し、前記関門中継サーバが、前記要求成功信号を、前記ＩＰ網内のプロトコルに変換して前記アプリケーションサーバに送信し、前記アプリケーションサーバが、前記要求成功信号を受信すると、当該アプリケーションサーバの記憶部に保持した前記着信端末番号および前記発信端末番号を、話中監視登録情報として当該記憶部に登録し、前記加入者交換機が、前記着信端末からの話中終了情報を受信すると、当該着信端末の話中監視情報から抽出した前記着信端末番号および前記発信端末番号を付した話中終了通知を生成し、前記関門中継サーバに送信し、前記関門中継サーバが、前記話中終了通知を、前記ＩＰ網内のプロトコルに変換して前記アプリケーションサーバに送信し、前記アプリケーションサーバが、前記話中終了通知に付された前記着信端末番号および前記発信端末番号が、前記話中監視登録情報に登録されているのを確認して、前記話中終了通知を受信した旨のガイダンス出力指示を前記メディアサーバに送信し、前記メディアサーバが、前記着信端末の話中終了通知を受信した旨のメッセージを前記発信端末に出力することを特徴とする通信方法とした。
【００２８】
このようにすることで、ＩＰ網とＰＳＴＮとが接続された通信システムにおいて、発信端末がＩＰ網に収容され、着信端末がＰＳＴＮに収容されている場合であっても、通話終了通知サービスを提供することができる。
【００２９】
また、本発明は、ＩＰ網とＰＳＴＮとを接続する関門中継サーバを備え、前記ＰＳＴＮ内に、発信端末と、前記発信端末を収容し発呼信号の呼制御を行う加入者交換機と、前記発信端末にガイダンスを出力するガイダンス装置と、を備え、前記ＩＰ網内に、着信端末と、前記着信端末と接続し、前記ＩＰ網上のプロトコルとメタル回線におけるプロトコルとを相互変換するＩＰ変換装置と、前記発呼信号を受信して前記ＩＰ変換装置を介して前記着信端末に接続させる加入者サーバと、を備え、前記発信端末へ前記着信端末の通話終了を通知する通話終了通知サービスを提供する通信システムに用いられる通信方法であって、前記加入者サーバが、前記発信端末からの発呼信号を前記着信端末に接続できず、前記ＩＰ変換装置から前記着信端末の着信端末番号が付された話中切断信号を受信した場合に、前記着信端末の話中監視登録可通知を、前記話中切断信号に付して、前記関門中継サーバに送信し、前記関門中継サーバが、前記話中切断信号を、前記ＰＳＴＮ内のプロトコルに変換して前記加入者交換機に送信し、前記加入者交換機が、前記話中切断信号を受信した時刻を示す話中検出時刻および前記話中切断信号に付された着信端末番号を、話中検出情報として当該加入者交換機の記憶部に記憶し、前記話中切断信号を前記発信端末に送信し、当該発信端末から、前記通話終了通知サービスの利用を示す所定の信号および当該発信端末の発信端末番号が付された発呼信号を受信すると、前記話中検出情報に含まれる話中検出時刻と当該発呼信号を受信した時刻とを比較し、その時間差が所定時間以内であるときに、前記話中切断信号に付された着信端末番号および当該発呼信号に付された発信端末番号を、当該加入者交換機の記憶部に保持し、前記着信端末の話中監視登録の指示入力を促すガイダンス出力指示を前記ガイダンス装置に送信し、前記ガイダンス装置が、前記発信端末に、前記話中監視登録の指示入力を促すガイダンスを出力し、前記発信端末から前記話中監視登録を示す情報を受信して、前記加入者交換機に送信し、前記加入者交換機が、前記記憶部に保持した前記着信端末番号および前記発信端末番号を付して、話中監視の開始を要求する話中監視登録通知を生成し、前記関門中継サーバに送信し、前記関門中継サーバが、前記話中監視登録通知を、前記ＩＰ網内にプロトコルに変換して前記加入者サーバに送信し、前記加入者サーバが、前記話中監視登録通知に付された前記着信端末番号および前記発信端末番号を、当該加入者サーバの記憶部に話中監視情報として登録し、前記登録したことを示す要求成功信号を、前記関門中継サーバに送信し、前記関門中継サーバが、前記要求成功信号を、前記ＰＳＴＮ内のプロトコルに変換して前記加入者交換機に送信し、前記加入者交換機が、前記要求成功信号を受信すると、当該加入者交換機の記憶部に保持した前記着信端末番号および前記発信端末番号を、話中監視登録情報として当該記憶部に登録し、前記加入者サーバが、前記着信端末からの話中終了情報を前記ＩＰ変換装置を介して受信すると、当該着信端末の話中監視情報から抽出した前記着信端末番号および前記発信端末番号を付した話中終了通知を生成し、前記関門交換機に送信し、前記関門交換機が、前記話中終了通知を、前記ＰＳＴＮ内のプロトコルに変換して前記加入者交換機に送信し、前記加入者交換機が、前記話中終了通知に付された前記着信端末番号および前記発信端末番号が、前記話中監視登録情報に登録されているのを確認して、前記話中終了通知を受信した旨のガイダンス出力指示を前記ガイダンス装置に送信し、前記ガイダンス装置が、前記着信端末の前記話中終了通知を受信した旨のメッセージを前記発信端末に出力することを特徴とする通信方法とした。
【００３０】
このようにすることで、ＩＰ網とＰＳＴＮとが接続された通信システムにおいて、発信端末がＰＳＴＮに収容され、着信端末がＩＰ網に収容されている場合であっても、通話終了通知サービスを提供することができる。
【発明の効果】
【００３１】
本発明によれば、ＩＰ網において、通話終了通知サービスを提供するができる通信方法および通信システムを提供することができる。
【図面の簡単な説明】
【００３２】
【図１】本実施形態に係る通話終了通知サービスを提供する通信システムの構成を示す図である。
【図２】本実施形態に係るアプリケーションサーバの構成を示す機能ブロック図である。
【図３】本実施形態に係る話中検出時の話中検出情報保持（ＩＰ網発−ＩＰ網着）の処理の流れを示すシーケンス図である。
【図４】本実施形態に係る話中監視登録（ＩＰ網発−ＩＰ網着）の処理の流れを示すシーケンス図である。
【図５】本実施形態に係る話中監視登録（ＩＰ網発−ＩＰ網着）の処理の流れを示すシーケンス図である。
【図６】本実施形態に係る話中終了通知（ＩＰ網発−ＩＰ網着）の処理の流れを示すシーケンス図である。
【図７】本実施形態に係る話中終了通知（ＩＰ網発−ＩＰ網着）における呼出し送出管理の処理の流れを示すシーケンス図である。
【図８】本実施形態に係るカスタマコントロールによる再発信（ＩＰ網発−ＩＰ網着）の処理の流れを示すシーケンス図である。
【図９】本実施形態に係るカスタマコントロールによる再発信（ＩＰ網発−ＩＰ網着）の処理の流れを示すシーケンス図である。
【図１０】本実施形態に係る話中終了通知確認（ＩＰ網発−ＩＰ網着）における話中終了通知受信済みの場合の処理の流れを示すシーケンス図である。
【図１１】本実施形態に係る話中終了通知確認（ＩＰ網発−ＩＰ網着）における話中終了通知未受信の場合の処理の流れを示すシーケンス図である。
【図１２】本実施形態に係る話中監視登録消去（ＩＰ網発−ＩＰ網着）における着信端末が終話状態の場合の処理の流れを示すシーケンス図である。
【図１３】本実施形態に係る話中監視登録消去（ＩＰ網発−ＩＰ網着）における着信端末が話中監視中の場合の処理の流れを示すシーケンス図である。
【図１４】本実施形態に係る話中監視登録タイムアウト（ＩＰ網発−ＩＰ網着）の処理の流れを示すシーケンス図である。
【図１５】本実施形態に係る通話終了通知サービスを、ＩＰ網とＰＳＴＮとが接続された通信システム（ＩＰ網発−ＰＳＴＮ着）において提供する構成図である。
【図１６】本実施形態に係る話中検出時の話中検出情報保持（ＩＰ網発−ＰＳＴＮ着）の処理の流れを示すシーケンス図である。
【図１７】本実施形態に係る話中監視登録（ＩＰ網発−ＰＳＴＮ着）の処理の流れを示すシーケンス図である。
【図１８】本実施形態に係る話中終了通知（ＩＰ網発−ＰＳＴＮ着）の処理の流れを示すシーケンス図である。
【図１９】本実施形態に係るカスタマコントロールによる再発信（ＩＰ網発−ＰＳＴＮ着）の処理の流れを示すシーケンス図である。
【図２０】本実施形態に係るカスタマコントロールによる再発信（ＩＰ網発−ＰＳＴＮ着）の処理の流れを示すシーケンス図である。
【図２１】本実施形態に係る話中監視登録消去（ＩＰ網発−ＰＳＴＮ着）における着信端末が話中監視中の場合の処理の流れを示すシーケンス図である。
【図２２】本実施形態に係る話中監視登録タイムアウト（ＩＰ網発−ＰＳＴＮ着）の処理の流れを示すシーケンス図である。
【図２３】本実施形態に係る通話終了通知サービスを、ＩＰ網とＰＳＴＮとが接続された通信システム（ＰＳＴＮ発−ＩＰ網着）において提供する構成図である。
【図２４】本実施形態に係る話中検出時の話中検出保持（ＰＳＴＮ発−ＩＰ網着）の処理の流れを示すシーケンス図である。
【図２５】本実施形態に係る話中監視登録（ＰＳＴＮ発−ＩＰ網着）の処理の流れを示すシーケンス図である。
【図２６】本実施形態に係る話中終了通知（ＰＳＴＮ発−ＩＰ網着）の処理の流れを示すシーケンス図である。
【図２７】本実施形態に係るカスタマコントロールによる再発信（ＰＳＴＮ発−ＩＰ網着）の処理の流れを示すシーケンス図である。
【図２８】本実施形態に係る話中監視登録消去（ＰＳＴＮ発−ＩＰ網着）における着信端末が話中監視中の場合の処理の流れを示すシーケンス図である。
【図２９】本実施形態に係る話中監視登録タイムアウト（ＰＳＴＮ発−ＩＰ網着）の処理の流れを示すシーケンス図である。
【図３０】従来のＰＳＴＮにおける通話終了通知サービスの構成、および、話中検出から話中監視登録までの処理の流れの説明図である。
【図３１】従来のＰＳＴＮでの通話終了通知サービスにおける話中監視登録消去の処理の流れの説明図である。
【図３２】従来のＰＳＴＮでの通話終了通知サービスにおける話中終了通知の処理の流れの説明図である。
【図３３】従来のＰＳＴＮでの通話終了通知サービスにおける着信端末への再発信の処理の流れの説明図である。
【図３４】従来のＰＳＴＮでの通話終了通知サービスにおける話中監視登録タイムアウトの処理の流れの説明図である。
【発明を実施するための形態】
【００３３】
次に、本発明を実施するための形態（「実施形態」という）について、適宜図面を参照しながら詳細に説明する。
【００３４】
≪システム構成≫
図１は、本実施形態に係る通話終了通知サービスを提供する通信システムの構成を示す図である。図１に示すように、本通信システムは、ＩＰ網に、加入者サーバ１（１ａ，１ｂ）と、アプリケーションサーバ（ＡＳ）２と、メディアサーバ（ＭＳ）３と、中継サーバ６と、ＩＰ変換装置４（４ａ，４ｂ，４ｃ）と、そのＩＰ変換装置４に接続される端末５（５ａ，５ｂ，５ｃ）とを備えて構成される。
【００３５】
この加入者サーバ１、アプリケーションサーバ２、メディアサーバ３、および中継サーバ６は、入出力部、処理部、記憶部を備えるコンピュータにより実現される。入出力部は、入出力インタフェースから構成される。処理部は、この各サーバが備えるＣＰＵ（Central Processing Unit）によるプログラム実行処理や、専用回路等により実現される。また、記憶部は、ＲＡＭ（Random Access Memory）、ハードディスク、フラッシュメモリ等の記憶手段による実現される。なお、これらのサーバをプログラム処理により実現する場合、記憶部には、このサーバの機能を実現するためのプログラムが格納される。
【００３６】
端末５は、インタフェースがメタル回線である端末であり、ダイヤル番号の送出等を行う。また、ＩＰ変換装置４は、メタル回線による端末５を収容し、端末５からの呼制御信号や音声信号をＩＰ網上で使用される信号にプロトコル変換する装置であり、局設置であっても、ユーザ宅内に設置であってもよい。以下、ＩＰ網内に設けられる各装置について具体的に説明する。
【００３７】
（加入者サーバ）
加入者サーバ１は、アプリケーションサーバ２、中継サーバ６、ＩＰ変換装置４等と接続され、発呼信号や応答信号の送信先を決定しルーチング処理を行う装置である。この加入者サーバ１の機能は、発信端末５（５ａ）を収容する加入者サーバ１（以下、「加入者サーバ(発)１ａ」とする）と、着信端末５ｂを収容する加入者サーバ１（以下、「加入者サーバ（着）１ｂ」とする）とで、通話終了通知サービスにおける機能が異なるため、分けて説明する。
【００３８】
（加入者サーバ（発））
加入者サーバ（発）１ａは、呼接続制御部１１と、制御情報処理部１２と、話中検出情報制御部１３と、記憶部１７（１７ａ）とを備える。
【００３９】
呼接続制御部１１は、発呼信号（接続要求信号）や応答信号等の送信先を決定し、入出力部（不図示）を介して送受信する制御を行う。具体的には、呼接続制御部１１は、ＩＰ変換装置４（４ａ）から受信した発呼信号を、中継サーバ６を介して、加入者サーバ（着）１ｂに送信したり、加入者サーバ（着）１ｂから受信した、話中切断信号をＩＰ変換装置４ａに送信したりする。
【００４０】
制御情報処理部１２は、転送録音サービスの制御に必要な制御情報を送受信する制御を行う。例えば、制御情報処理部１２は、アプリケーションサーバ２から、話中監視登録通知や話中監視登録消去通知（詳細は後記）を受信し、加入者サーバ（着）１ｂに送信する。また、制御情報処理部１２は、話中検出情報制御部１３が抽出した後記する話中検出情報１００をアプリケーションサーバ２に送信する。
【００４１】
話中検出情報制御部１３は、加入者サーバ（着）１ｂから、着信端末番号と、着信端末５ｂが話中であり話中監視登録が可能であることを示す話中監視登録可通知とを含む話中切断信号を受信すると、その着信端末番号と、加入者サーバ１ａがその話中切断信号を受信した時刻を示す話中検出時刻とを、記憶部１７（１７ａ）内に、話中検出情報１００として記憶する。
【００４２】
また、話中検出情報制御部１３は、発信端末５ａからＩＰ変換装置４ａを介して、通話終了通知サービスの利用を示す所定の信号（例えば、ダイヤル「１５９」）を受信すると、記憶部１７（１７ａ）から、話中検出情報（着信端末番号、話中検出時刻）１００を抽出し、制御情報処理部１２を介して、その抽出した話中検出情報１００をアプリケーションサーバ２へ送信する。
【００４３】
記憶部１７（１７ａ）には、前記した話中検出情報１００が記憶される。この話中検出情報１００は、加入者サーバ（着）１ｂから受信した話中切断信号に含まれる着信端末番号と、その話中切断信号を加入者サーバ（発）１ａが受信した時刻である話中検出時刻とを示す情報が含まれる。
【００４４】
（加入者サーバ（着））
加入者サーバ（着）１ｂは、加入者サーバ（発）１ａに備える呼接続制御部１１および制御情報処理部１２に加えて、話中検出処理部１４と、話中監視情報登録部１５と、終話検出部１６と、記憶部１７（１７ｂ）内に話中監視情報１５０とを備える。なお、呼接続制御部１１および制御情報処理部１２の機能は、加入者サーバ（発）１ａと同様であるため、説明を省略する。
【００４５】
話中検出処理部１４は、着側のＩＰ変換装置４ｂから話中切断信号を受信することにより、着信端末５ｂが話中であると判定する。そして、話中検出処理部１４は、受信した話中切断信号に、話中監視登録が可能であることを示す話中監視登録可通知を付して、加入者サーバ（発）１ａに送信する。
【００４６】
話中監視情報登録部１５は、加入者サーバ（発）１ａから、話中監視を要請する話中監視登録通知を受信すると、その話中監視登録通知に付された着信端末番号および発信端末番号を、記憶部１７（１７ｂ）内に、話中監視情報１５０として記憶する。このとき、話中監視情報登録部１５は、その話中監視登録通知を受信した時刻を、所定時間（Ｍ分）話中監視を行う開始時刻（Ｍ分監視時刻）として記憶する。なお、このＭ分監視時刻は、次に説明する終話検出部１６が利用する。
また、話中監視情報登録部１５は、アプリケーションサーバ２から話中監視情報消去通知を受信すると、対応する着信端末５ｂの話中監視情報１５０を消去する。
【００４７】
終話検出部１６は、着信端末５ｂからの話中終了情報（通話が終了したことを示すオンフックの情報）を、ＩＰ変換装置４ｂを介して受信すると、その受信時刻と、話中監視情報１５０に記憶されたＭ分監視時刻とを比較し、所定の時間（Ｍ分）以内か否かを判定する。そして、終話検出部１６は、所定の時間（Ｍ分）以内である場合に、話中終了通知を生成し、加入者サーバ（発）１ａに送信する。また、この話中終了情報を受信したとき、終話検出部１６は、Ｋ秒監視を開始し、着信端末５ｂが確実に、話中終了したかを判定する。このＫ秒監視において、Ｋ秒間に着信端末５ｂの通話が再開されなければ（オフフックされなければ）、終話検出部１６は、着信端末５ｂの通話が終了したと判定する。
【００４８】
記憶部１７（１７ｂ）には、前記した話中監視情報１５０が記憶される。この話中監視情報１５０は、加入者サーバ（発）１ａから受信した話中監視登録通知に含まれる着信端末番号および発信端末番号に加えて、その話中監視登録通知を受信した時刻（Ｍ分監視時刻）が記憶される。
【００４９】
（アプリケーションサーバ）
図２は、本実施形態に係るアプリケーションサーバ２の構成を示す機能ブロック図である。
発信端末５ａを収容する加入者サーバ（発）１ａや、メディアサーバ３等と接続するアプリケーションサーバ２は、通話終了通知サービスを実現するための制御を行う装置であり、図２に示すように、処理部２０と記憶部２１とを含んで構成される。なお、アプリケーションサーバ２について、発信端末５ａを収容する加入者サーバ（発）１ａと接続されることを示すため、アプリケーションサーバ（発）２と表示することがある。
【００５０】
処理部２０は、アプリケーションサーバ２の全体の制御を司り、接続処理部２０１と、話中情報登録判定部２０２と、話中情報登録部２０３と、話中監視登録情報管理部２０４と、カスタマコントロール部２０５と、話中終了通知制御部２０６と、呼出し送出管理部２０７と、再発信指示部２０８と、話中監視登録消去部２０９と、話中監視登録タイムアウト判定部２１０と、ガイダンス指示部２１１とを備える。
【００５１】
接続処理部２０１は、加入者サーバ１やメディアサーバ３との間の信号の送受信を制御する。
【００５２】
話中情報登録判定部２０２は、通話終了通知サービスの利用を示す所定の信号（ダイヤル「１５９」）および発信端末番号が付された発呼信号を受信した発側の加入者サーバ１ａから、話中検出情報（着信端末番号、話中検出時刻）１００を付した発呼信号を受信したとき、その発呼信号に付された話中検出情報１００の着信端末番号と、発信端末５ａの発信端末番号とが、記憶部２１内の話中監視登録情報２００に、登録済みか否かを判定する。そして、話中情報登録判定部２０２は、話中監視登録情報２００に未登録の場合は、話中情報登録部２０３を起動させ、既に登録されている場合は、カスタマコントロール部２０５を起動させる。
また、話中情報登録判定部２０２は、加入者サーバ（着）１ｂからの後記する話中終了通知に付された着信端末番号および発信端末番号が、話中監視登録情報２００に登録済みか否かを判定する。
【００５３】
話中情報登録部２０３は、話中監視を開始するため、後記する本登録の前に、着信端末番号および発信端末番号をアプリケーションサーバ２の記憶部２１に記憶しておく。
具体的には、話中情報登録部２０３は、発呼信号に付された話中検出情報１００の着信端末番号と、発信端末５ａの発信端末番号とが、話中監視登録情報２００に未登録の場合に、話中検出情報１００に付された話中検出時刻とその発呼信号をアプリケーションサーバ２が受信した時刻とを比較し、その時間差が所定時間（Ｎ分）以内か否かを判定する（Ｎ分判定）。
そして、話中情報登録部２０３は、話中検出時刻からＮ分以内のときに、話中切断信号に付された着信端末番号および発呼信号に付された発信端末番号を、そのアプリケーションサーバの記憶部２１に保持する。なお、話中情報登録部２０３は、着信端末番号および発信端末番号を、記憶部２１内の話中監視登録情報２００に記憶しておいてもよい。この着信端末番号および発信端末番号の話中監視登録情報２００への記憶を仮登録とよぶときがある。
【００５４】
話中監視登録情報管理部２０４は、話中監視登録情報２００に仮登録した着信端末番号および発信端末番号を付して、話中監視の開始を要求する話中監視登録通知を生成し、加入者サーバ（着）１ｂに送信する。そして、話中監視登録情報管理部２０４は、加入者サーバ（着）１ｂから、話中監視登録通知に付された着信端末番号および発信端末番号を、加入者サーバ（着）１ｂの記憶部１７（１７ｂ）に話中監視情報１５０として登録したことを示す要求成功信号を受信する。そして、話中監視登録情報管理部２０４は、この要求成功信号の受信を契機に、着信端末番号と、発信端末番号と、その要求成功信号をアプリケーションサーバ２が受信した時刻であるＬ分監視時刻とを、話中監視登録情報２００に記憶する。なお、この話中監視登録情報管理部２０４による、加入者サーバ（着）１ｂからの要求成功信号受信時の着信端末番号および発信端末番号の話中監視登録情報２００への登録を本登録とよぶときがある。
このＬ分監視時刻は、アプリケーションサーバ２が、着信端末５ｂの話中監視を継続する所定の時間（Ｌ分）の開始時刻を示す。
【００５５】
カスタマコントロール部２０５は、話中終了通知サービスの利用を示す所定の信号（ダイヤル「１５９」）を話中情報登録判定部２０２が受信したとき、話中監視の登録（ダイヤル「１」）、着信端末５ｂへの再発信（ダイヤル「３」）、話中終了通知確認（ダイヤル「８」）、話中監視登録消去(ダイヤル「９」)等の、操作を促すカスタマコントロール情報をガイダンス指示部２１１に出力する。
【００５６】
話中終了通知制御部２０６は、加入者サーバ（着）１ｂからの話中終了通知を受信する。そして、話中終了通知制御部２０６は、その話中終了通知に示される着信端末番号と発信端末番号とが話中監視登録情報２００に登録されているか否かを判定し、登録されている場合に、その話中終了通知を受信した時刻（話中終了通知受信時刻）を話中監視登録情報２００に記憶する。
なお、この話中終了通知受信時刻は、話中終了通知を受信の有無を判定する話中終了通知受信情報として、話中監視登録消去部２０９が利用する。つまり、話中監視登録消去部２０９は、話中監視登録情報２００に、着信端末５ｂの話中終了通知受信時刻が記憶されていれば、話中終了通知を受信していると判定し、話中終了通知受信時刻が記録されていなければ、話中終了通知を受信していないと判定する。
【００５７】
また、話中終了通知制御部２０６は、メディアサーバ３から話中終了通知の受信確認を示す情報（ダイヤル「８」）を受信すると、話中終了通知の受信済みの場合は、ガイダンス出力指示情報、発信端末番号、および話中終了通知受信時刻を、ガイダンス指示部２１１を介してメディアサーバ３に送信する。一方、話中終了通知制御部２０６は、話中終了通知が未受信の場合は、話中終了通知を受信していない旨、つまり話中監視継続中である旨のガイダンス出力指示を、ガイダンス指示部２１１を介してメディアサーバ３に送信する。
【００５８】
呼出し送出管理部２０７は、加入者サーバ（着）１ｂからの話中終了通知に付された着信端末番号および発信端末番号が、話中情報登録判定部２０２により、話中監視登録情報２００に登録済みを確認したのを契機に、発呼信号を発信端末５ａに向けて送信する。そして、呼出し送出管理部２０７は、発信端末５ａのオフフック（Off-hook）による応答信号を受信すると、ガイダンス出力指示情報、発信端末番号、および話中終了通知受信時刻をガイダンス指示部２１１を介してメディアサーバ３に送信する。そして、呼出し送出管理部２０７は、メディアサーバ３からの応答信号（要求応答）を受信すると、その受信した時刻を、再発信待ちＪ分監視時刻として、話中監視登録情報２００に記憶する。
この再発信待ちＪ分監視時刻は、話中終了通知を受信した発信端末５ａが、カスタマコントロールによる再発信を実行できる所定の時間（Ｊ分）の開始時刻を示す。
【００５９】
また、呼出し送出管理部２０７は、発信端末５ａの呼出し音を鳴らす所定の時間である呼出し時間（Ｉ秒）、発信端末５ａがオフフックされなかった場合に、再度呼出し音を鳴らす所定の間隔である呼出し間隔（Ｈ分）、および呼出し送出回数のカウント（最大Ｇ回：例えば３回）の制御を行う。
具体的には、呼出し送出管理部２０７は、呼出し時間Ｉ秒の確認を行い、Ｉ秒が経過しても呼出し送出に対して、発信端末５ａのオフフックがない場合には、呼出し停止の処理を行う。そして、呼出し送出管理部２０７は、呼出し間隔Ｈ分の確認を行い、Ｈ分ごとに最大Ｇ回まで、呼出し送出の処理を繰り返す。
【００６０】
再発信指示部２０８は、メディアサーバ３から着信端末５ｂへの再発信を示す情報（ダイヤル「３」）を受信すると、話中監視登録情報２００に記憶された再発信待ちＪ分監視時刻と比較し、再発信を示す情報を受信した時刻が、再発信待ちＪ分監視時刻から所定の時間（Ｊ分）以内であれば、発呼信号を、加入者サーバ（発）１ａを介して、着信端末５ｂへ向けて送信（再発信）する。そして、再発信指示部２０８は、着信端末５ｂへの再発信を契機に、送信した話中監視登録情報２００を消去する。
【００６１】
話中監視登録消去部２０９は、メディアサーバ３から話中監視登録消去を示す情報（ダイヤル「９」）を受信すると、該当する話中監視登録情報２００を消去する。
そして、話中監視登録消去部２０９は、話中監視登録情報２００に、話中終了通知受信時刻が記憶されているか否かを判定し、話中監視通知受信時刻が記憶されていなければ、話中終了通知を受信していない、つまり、加入者サーバ（着）１ｂが話中監視中であるとして、加入者サーバ（着）１ｂに向けて、話中監視情報消去通知を送信する。
【００６２】
話中監視登録タイムアウト判定部２１０は、話中監視登録情報管理部２０４が話中監視登録情報２００に登録した、Ｌ分監視時刻を監視し、Ｌ分監視時刻から所定の時間（Ｌ分）が経過すると、Ｌ分タイムアウトを起動する。具体的には、発信端末５ａに対し、発呼信号を送信し、その応答信号を受信すると、話中監視登録情報２００を消去する。そして、話中監視登録タイムアウト判定部２１０は、Ｌ分タイムアウトにより話中監視登録情報２００を消去した旨、つまり、話中監視を中止した旨のガイダンス出力指示を、ガイダンス指示部２１１を介してメディアサーバ３に送信する。
【００６３】
ガイダンス指示部２１１は、処理部２０内の各処理部の指示に基づき、メディアサーバ３に対して、ガイダンス指示情報を送信する。
【００６４】
記憶部２１は、前記した話中監視登録情報２００が記憶される。この話中監視登録情報２００には、話中監視を行う、着信端末番号、発信端末番号、Ｌ分監視時刻、話中終了通知受信時刻、再発信待ちＪ分監視時刻が記憶される。
【００６５】
（メディアサーバ）
メディアサーバ３は、アプリケーションサーバ２からの指示にしたがい、話中監視登録のためのガイダンスや、カスタマコントロールのためのメッセージを発信端末５ａに送信する。このメディアサーバ３は、ガイダンス出力部３１と、カスタマコントロール情報送信部３２とを含んで構成される。
【００６６】
ガイダンス出力部３１は、アプリケーションサーバ２のガイダンス指示部２１１からの指示に基づき、通話終了通知サービスを提供するためのガイダンスを発信端末５に出力する。また、カスタマコントロール情報送信部３２は、ガイダンス出力部３１のガイダンスにしたがい、発信端末５ａに入力された所定の操作番号（カスタマコントロール情報）をアプリケーションサーバ２に送信する。
【００６７】
（中継サーバ）
図１に戻り、中継サーバ６は、加入者サーバ（発）１ａと加入者サーバ（着）１ｂと接続され、発呼信号や通話終了通知サービスに必要な各種制御信号を中継する処理を行う。
【００６８】
≪処理手順≫
次に、図１および図２を参照しつつ、本実施形態に係る通話終了通知サービスの処理手順を説明する。まず、（１）通話終了通知サービスの対象となる発信端末５ａと着信端末５ｂとが両方ともＩＰ網に収容する場合（ＩＰ網発−ＩＰ網着）を説明し、次に、（２）発信端末５ａがＩＰ網に収容され、着信端末５ｂが従来の公衆電話網（ＰＳＴＮ）に収容される場合（ＩＰ網発−ＰＳＴＮ着）、（３）発信端末５ａが公衆電話網（ＰＳＴＮ）に収容され、着信端末５ｂがＩＰ網に収容される場合（ＰＳＴＮ発−ＩＰ網着）について説明する。なお、ＩＰ網内で用いられるセッション制御プロトコルとして、ＳＩＰ（Session Initiation Protocol）を例に説明するが、これに限定されず、Ｈ．３２３等他のプロトコルでも適用可能である。
【００６９】
（１）ＩＰ網発−ＩＰ網着
＜話中検出＞
図３は、本実施形態に係る話中検出時の話中検出情報保持（ＩＰ網発−ＩＰ網着）の処理の流れを示すシーケンス図である。
【００７０】
発信端末５ａから着信端末５ｂに向けてダイヤルが行われ、ＩＰ変換装置４ａ、加入者サーバ（発）１ａを介して発呼信号（INVITE）を受信した加入者サーバ（着）１ｂは、着信端末５ｂを収容するＩＰ変換装置４ｂに発呼信号（INVITE）を送信する（Ｓ１０１〜Ｓ１０６）。ＩＰ変換装置４ｂは、着信端末５ｂが通話中であるため、話中切断信号（486）を加入者サーバ（着）１ｂに送信する（Ｓ１０７）。話中切断信号を受信した加入者サーバ（着）１ｂ（話中検出処理部１４）は、話中切断信号の受信したことにより、着信端末５ｂが話中であると判定する（話中検出）（Ｓ１０８）。そして、加入者サーバ（着）１ｂは、受信した話中切断信号（486）に、話中監視登録が可能であることを示す話中監視登録可通知を付して、加入者サーバ（発）１ａに送信し（Ｓ１０９）、ＩＰ変換装置４ｂに、受信確認信号（ACK）を返信する（Ｓ１１０）。
【００７１】
加入者サーバ（発）１ａ（話中検出情報制御部１３）は、話中監視登録可通知が付された話中切断信号（486）を受信すると、着信端末５ｂの着信端末番号と、加入者サーバ（発）１ａがその話中切断信号（486）を受信した時刻を示す話中検出時刻とを、話中検出情報１００として記憶部１７ａ内に保持する（話中検出情報保持）（Ｓ１１１）。
【００７２】
そして、加入者サーバ（発）１ａは、話中切断信号（486）を発信端末５ａを収容するＩＰ変換装置４ａに送信し（Ｓ１１２）、受信確認信号を加入者サーバ（着）１ｂに返信する（Ｓ１１３）。そして、ＩＰ変換装置４ａが、発信端末５ａに着信端末５ｂが通話中であることを示すＢＴ（ビジートーン）が送出し、処理を終える（Ｓ１１４〜Ｓ１１６）。
【００７３】
このようにすることで、加入者サーバ（着）１ｂは、着信端末５ｂが通話中であることを検出する。そして、話中監視登録可通知を受信した加入者サーバ（発）１ａは、着信端末番号と話中検出時刻とを話中検出情報１００として保持することができる。
【００７４】
＜話中監視登録＞
図４および図５は、本実施形態に係る話中監視登録（ＩＰ網発−ＩＰ網着）の処理の流れを示すシーケンス図である。
【００７５】
発信端末５ａから通話終了通知サービスを示す所定の番号（例えば、ダイヤル「１５９」）が発信され、ＩＰ変換装置４ａを介して、加入者サーバ(発)１ａは、発呼信号（INVITE）を受信する（図４のＳ２０１〜Ｓ２０４）。そして、加入者サーバ（発）１ａ（話中検出情報制御部１３）は、話中検出情報（着信端末番号、話中検出時刻）１００を抽出し（Ｓ２０５）、その発呼信号に話中検出情報１００を付して、アプリケーションサーバ２へ送信する（Ｓ２０６）。
【００７６】
話中検出情報１００が付された発呼信号を受信したアプリケーションサーバ２（話中情報登録判定部２０２）は、話中監視登録情報２００に、その話中検出情報１００に付された着信端末番号と対応する発信端末番号とが登録済みか否かを判定する。そして、アプリケーションサーバ２は、判定の結果、話中監視登録情報２００に未登録の場合に、受信した話中検出情報１００に含まれる話中検出時刻と、その話中検出情報１００を受信した時刻とを比較し、所定の時間（Ｎ分）以内か否かを判定する（Ｎ分判定）。そして、アプリケーションサーバ２（話中情報登録部２０３）は、話中検出時刻からＮ分以内のときに、着信端末番号および発信端末番号を話中監視登録情報２００に仮登録する（Ｓ２０７）。
【００７７】
そして、アプリケーションサーバ２（ガイダンス指示部２１１）は、話中監視登録を促すガイダンス指示をメディアサーバ３に送信し（Ｓ２０８〜Ｓ２１３）、メディアサーバ３（ガイダンス出力部３１）から発信端末５ａに、話中監視登録を促すガイダンスが出力される（Ｓ２１４）。例えば、『電話番号０Ａ〜Ｊの通話終了をお知らせする場合、数字の「１」を押して登録してください。』とガイダンスされる。
【００７８】
次に、発信端末５ａから、ガイダンスにしたがって、カスタマコントロール情報（カスコン情報）として話中監視登録を示す信号（ダイヤル「１」）が送信される（Ｓ２１５）。信号（ダイヤル「１」）を受信したメディアサーバ３（カスタマコントロール情報送信部３２）は、アプリケーションサーバ２に対して、カスタマコントロール情報（「１」）を送信し（Ｓ２１６）、要求成功（200）を受信する（Ｓ２１７）。
【００７９】
カスタマコントロール情報（「１」）を受信したアプリケーションサーバ２（話中監視登録情報管理部２０４）は、着信端末番号および発信端末番号を付した話中監視登録通知を生成し、加入者サーバ（発）１ａを介して、加入者サーバ（着）１ｂに送信する（Ｓ２１８，Ｓ２１９）。
【００８０】
話中監視登録通知を受信した加入者サーバ（着）１ｂ（話中監視情報登録部１５）は、着信端末番号および発信端末番号を話中監視情報１５０として登録する（Ｓ２２０）。このとき、加入者サーバ（着）１ｂが話中監視登録通知を受信した時刻をＭ分監視時刻として話中監視情報１５０にさらに記憶する。このＭ分監視時刻は、加入者サーバ（着）１ｂが、着信端末５ｂの話中監視を継続するＭ分間の開始時刻を意味する。
【００８１】
そして、加入者サーバ（着）１ｂは、話中監視情報１５０への登録を契機に、要求成功（200）を、加入者サーバ（発）１ａを介して、アプリケーションサーバ２に送信する（Ｓ２２１，Ｓ２２２）。
【００８２】
要求成功（200）を受信したアプリケーションサーバ２は、着信端末番号および発信端末番号を話中監視登録情報２００に登録する（本登録）（Ｓ２２３）。このとき、アプリケーションサーバ２が要求成功（200）を受信した時刻をＬ分監視時刻として話中監視登録情報２００にさらに記憶する。このＬ分監視時刻は、アプリケーションサーバ２が、話中監視を継続するＬ分間の開始時刻を意味する。
【００８３】
なお、アプリケーションサーバ２に課金処理部（不図示）を備えさせ、話中監視登録情報２００の本登録を行った時点で、発信端末５ａについて、本通話終了通知サービスの利用料金（付加使用料）を課金するための課金情報を生成するようにしてもよい。
【００８４】
話中監視登録情報２００の本登録を行ったアプリケーションサーバ２は、話中監視登録を行った旨のガイダンス指示をメディアサーバ３に送信し、メディアサーバ３から発信端末５ａに、登録完了のガイダンスが出力される（Ｓ２２４〜Ｓ２２６）。例えば、「○時○分に電話番号０Ａ〜Ｊを登録しました。ただいまからＬ分以内に相手の方の通話が終了すればお知らせします。」とガイダンスされる。
【００８５】
そして、発信者がオンフック（On-hook）するか（図５のＳ２２７）、オンフックせずに強制切断により（図５のＳ２２８）、通話を終了する。
【００８６】
このようにすることで、ＩＰ網において、発信端末５ａからの通話が、接続先の着信端末５ｂが話中のためつながらない場合に、通話終了通知サービスの話中監視登録を行うことができる。
【００８７】
＜話中終了通知＞
図６は、本実施形態に係る話中終了通知（ＩＰ網発−ＩＰ網着）の処理の流れを示すシーケンス図である。
【００８８】
加入者サーバ（着）１ｂは、着信端末５ｂの通話が終了するとＩＰ変換装置４ｂから通話終了信号を受信する（Ｓ３０１，Ｓ３０２）。そして加入者サーバ（着）１ｂ（終話検出部１６）は、Ｋ秒監視を開始する。このＫ秒監視の間、着信端末５ｂがオフフックされなかった場合に、加入者サーバ（着）１ｂは、着信端末５ｂの通話が終了したと判定する（終話検出）（Ｓ３０３）。また、加入者サーバ（着）１ｂは、通話終了信号を受信した時刻と、話中監視情報１５０に記憶したＭ分監視時刻を比較し、その差がＭ分以内であれば、話中監視中であると判定する。なお、Ｍ分を超えている場合は、加入者サーバ（着）１ｂは、処理を終了する。
【００８９】
続いて、加入者サーバ（着）１ｂ（終話検出部１６）は、着信端末番号および発信端末番号を話中監視情報１５０から抽出し、着信端末番号および発信端末番号を付した話中終了通知を生成する。そして、加入者サーバ（着）１ｂは、話中監視情報１５０を削除し（Ｓ３０４）、加入者サーバ（発）１ａを介してアプリケーションサーバ２に、話中終了通知を送信する（Ｓ３０５，Ｓ３０６）。
【００９０】
話中終了通知を受信したアプリケーションサーバ２（話中情報登録判定部２０２）は、その話中終了通知に含まれる着信端末番号および発信端末番号が話中監視登録情報２００に登録されているか否かを判定する。そして、アプリケーションサーバ２は、着信端末番号および発信端末番号が登録されている場合には、その話中終了通知を受信した時刻（話中終了通知受信時刻）を、話中監視登録情報２００に記憶する（Ｓ３０７）。そして、アプリケーションサーバ２は、加入者サーバ（発）１ａを介して、加入者サーバ（着）１ｂに要求成功（200）を送信する（Ｓ３０８，Ｓ３０９）。
【００９１】
次に、アプリケーションサーバ２は、ガイダンスのリソースを事前に確保しておくため、メディアサーバ３に対して発呼信号（INVITE）を送信し（Ｓ３１０）、要求応答（200）を受信する（Ｓ３１１）。
【００９２】
そして、アプリケーションサーバ２（呼出し送出管理部２０７）は、発信端末５ａを呼出すため、網内発呼により、加入者サーバ（発）１ａに対して、発呼信号（INVITE）の送出を行う（Ｓ３１２）。発呼信号（INVITE）を受信した加入者サーバ（発）１ａは、ＩＰ変換装置４ａに対して発呼信号（INVITE）の送出を行い、発信端末５ａに対して呼出し信号が送出される（Ｓ３１３，Ｓ３１４）。
【００９３】
呼出し信号に対して、発信端末５ａがオフフックされた場合は、その要求応答（200）がアプリケーションサーバ２に送信され（Ｓ３１５〜Ｓ３１７）、アプリケーションサーバ２は、メディアサーバ３に対して、更新通知（UPDATE）の送出を行う（Ｓ３１８）。ここで更新通知（UPDATE）は、更新通知（ACK）を用いてもよい。
【００９４】
また、アプリケーションサーバ２は、メディアサーバ３に対して、話中終了を通知するガイダンス出力指示を送信し（Ｓ３１９）、その要求応答（200）を受信する（Ｓ３２０）。
【００９５】
メディアサーバ３から要求応答（200）を受信したアプリケーションサーバ２（呼出し送出管理部２０７）は、その要求応答（200）を受信した時刻を、再発信待ちＪ分監視時刻として、話中監視登録情報２００に登録する（Ｓ３２１）。
【００９６】
要求応答をアプリケーションサーバ２に送信したメディアサーバ３は、発信端末５ａに向けて、話中終了のガイダンスを出力する（Ｓ３２２）。例えば、「○時○分に電話番号０Ａ〜Ｊの通話が終了しました。」とガイダンスされる。
【００９７】
その後は、図５のＳ２２７、Ｓ２２８と同様に、発信者の操作（オンフック、またはオンフックせずにタイムアウト）に応じて、切断シーケンスが終話処理として行われる。
【００９８】
このようにすることで、ＩＰ網における通話終了通知サービスにおいて、発信端末５（５ａ）は、着信端末５（５ｂ）の話中終了の通知を受けることができる。
【００９９】
＜話中終了通知（呼出し送出管理）＞
図７は、本実施形態に係る話中終了通知（ＩＰ網発−ＩＰ網着）における呼出し送出管理の処理の流れを示すシーケンス図である。図６に示した話中終了通知においては、呼出し送出に対して１回で発信端末５ａが応答（オフフック）した例を示したが、この図７においては、呼出し送出に対して、発信端末５ａが応じない（オフフック）にならない場合の動作を説明する。なお、話中終了通知の送出処理において、図６のＳ３０１からＳ３０９までの処理は同じであるので記載を省略する。
【０１００】
話中終了通知を、加入者サーバ（着）１ｂから加入者サーバ（発）１ａを介して受信したアプリケーションサーバ２は、呼出し送出管理を行う。具体的には、まず、アプリケーションサーバ２は、ガイダンスのリソースを事前に確保しておくため、メディアサーバ３に対して発呼信号（INVITE）を送信し（Ｓ４０１）、要求応答（200）を受信する（Ｓ４０２）。
次に、アプリケーションサーバ２（呼出し送出管理部２０７）は、発信端末５ａの呼出し時間Ｉ秒のタイマを起動し、呼出し間隔Ｈ分のタイマを起動して、呼出し送出回数をカウントする（例えば、最大Ｇ回に設定）（Ｓ４０３）。
【０１０１】
そして、アプリケーションサーバ２は、呼出し送出指示のため、網内発呼により、加入者サーバ（発）１ａに対して発呼信号（INVITE）の送出を行う（Ｓ４０４）。次に、発呼信号（INVITE）を受信した加入者サーバ（発）１ａは、呼出し送出指示のため、ＩＰ変換装置４ａに対して発呼信号（INVITE）の送出を行い（Ｓ４０５）、発信端末５ａに対して、呼出しが送出される（Ｓ４０６）。
【０１０２】
次に、アプリケーションサーバ２は、呼出し時間Ｉ秒タイマの確認を行い、Ｉ秒が経過しても呼出し送出に対して、発信端末５ａが応じない（オフフックとならない）場合は、呼出し停止の処理（取消（CANCEL））行う（Ｓ４０７〜Ｓ４１７）。その後、アプリケーションサーバ２は、呼出し間隔Ｈ分タイマの確認を行い、Ｈ分サイクルで、呼出し送出処理が最大Ｇ回まで行われる。なお、図７のＳ４１５において、アプリケーションサーバ２は、メディアサーバ３に対して終了（BYE）を送出し、メディアサーバ３のリソースを解放しているが、この終了（BYE）を送出せず、メディアサーバ３のリソースを確保しておくようにしてもよい。
【０１０３】
このようにすることで、ＩＰ網における通話終了通知サービスにおいて、利用者の発信端末５（５ａ）への話中終了通知の呼出し送出管理を行うことができる。
【０１０４】
＜カスタマコントロールによる再発信＞
図８および図９は、本実施形態に係るカスタマコントロールによる再発信（ＩＰ網発−ＩＰ網着）の処理の流れを示すシーケンス図である。
【０１０５】
発信端末５ａから通話終了通知サービスを示す所定の番号（例えば、ダイヤル「１５９」）が発信された後、アプリケーションサーバ２が受信するまでの図８のＳ５０１〜Ｓ５０６までの処理は、図４のＳ２０１〜Ｓ２０６の処理と同様であるので説明を省略する。
【０１０６】
話中検出情報１００が付された発呼信号を受信したアプリケーションサーバ２（話中情報登録判定部２０２）は、その話中検出情報１００に付された着信端末番号と対応する発信端末番号とが、話中監視登録情報２００に、登録済みか否かを判定し、登録済みであることを確認する（図８のＳ５０７）。
【０１０７】
次に、アプリケーションサーバ２は、再発信を促すガイダンス送出指示のため、メディアサーバ３に対して、着信端末番号およびＬ分監視時刻の送出を行い（Ｓ５０８〜Ｓ５１３）、メディアサーバ３から発信端末５ａに、再発信を促すガイダンスが出力される（Ｓ５１４）。例えば、『○時○分に話中監視の登録をした電話番号０Ａ〜Ｊにかけ直す場合、数字の「３」を押してください。』とガイダンスされる。
【０１０８】
次に、発信端末５ａから、ガイダンスにしたがって、カスタマコントロール情報（カスコン情報）として再発信を示す信号（ダイヤル「３」）が送信される（Ｓ５１５）。信号（ダイヤル「３」）を受信したメディアサーバ３は、アプリケーションサーバ２に対して、カスタマコントロール情報（「３」）を送信し（Ｓ５１６）、要求成功信号を受信する（Ｓ５１７）。
【０１０９】
カスタマコントロール情報（「３」）を受信したメディアサーバ３（再発信指示部２０８）は、その受信時刻と話中監視登録情報２００に記憶された再発信待ちＪ分監視時刻とを比較し、その受信時刻がＪ分以内か判定する（Ｓ５１８）。そして、アプリケーションサーバ２はＪ分以内である場合に、再発信指示のため、網内発呼により加入者サーバ（発）１ａに対して、発呼信号（INVITE）を送出（Ｓ５１９）した上で、話中監視登録情報２００を消去する。
【０１１０】
発呼信号（INVITE）を受信した加入者サーバ（発）１ａは、再発信のため、加入者サーバ（着）１ｂに対して発呼信号（INVITE）の送出を行う（Ｓ５２０）。発呼信号（INVITE）を受信した加入者サーバ（着）１ｂは、呼出し送出のためＩＰ変換装置４ｂに対して、発呼信号（INVITE）の送出を行い（Ｓ５２１）、着信端末５ｂに対して呼出し信号が送出される（Ｓ５２２）。
【０１１１】
そして、呼出し中の情報をＩＰ変換装置４ｂから受信したアプリケーションサーバ２は、メディアサーバ３に対してＲＢＴ指示（INFO）の送出を行い（Ｓ５２３〜Ｓ５２７）、メディアサーバ３から発信端末５ａに対してＲＢＴが送出される（Ｓ５２８）。なお、通常、ＲＢＴは、ＩＰ変換装置４から送出されるが、ＳＩＰの規定上、Earlyメディアでメディアサーバ３に接続した場合、以降のセッション確立までメディアサーバ３で制御する必要があるため、ＲＢＴをメディアサーバ３から送出するものとする。そして、呼出し送出に対して、着信端末５ｂが応じた（オフフックとなる）場合には、通常の通話接続処理を行う（図９のＳ５２９）。
【０１１２】
このようにすることで、ＩＰ網における通話終了通知サービスにおいて、通話が終了した着信端末５（５ｂ）に再発信をすることができる。
【０１１３】
＜話中終了通知確認（話中終了通知受信済みの場合）＞
図１０は、本実施形態に係る話中終了通知確認（ＩＰ網発−ＩＰ網着）における話中終了通知受信済みの場合の処理の流れを示すシーケンス図である。
【０１１４】
なお、図１０に示すＳ６０１〜Ｓ６０７までの処理は、図８に示すＳ５０１〜Ｓ５０７の処理と同様であるので説明を省略する。
【０１１５】
着信端末番号と発信端末番号とが、話中監視登録情報２００に、登録済みであることを確認したアプリケーションサーバ２は、話中終了通知の確認を促すガイダンス指示のため、メディアサーバ３に対して、着信端末番号およびＬ分監視時刻の送出を行い（Ｓ６０８〜Ｓ６１３）、メディアサーバ３から発信端末５ａに、話中終了通知の確認を促すガイダンスが出力される（Ｓ６１４）。例えば、『現在登録中の電話番号０Ａ〜Ｊの登録状況を確認する場合は、数字の「８」を押してください。』とガイダンスされる。
【０１１６】
次に、発信端末５ａから、ガイダンスにしがたって、カスタマコントロール情報（カスコン情報）として、話中終了通知の確認を示す信号（ダイヤル「８」）が送信される（Ｓ６１５）。信号（ダイヤル「８」）を受信したメディアサーバ３は、アプリケーションサーバ２に対して、カスタマコントロール情報（「８」）を送信し（Ｓ６１６）、要求応答信号を受信する（Ｓ６１７）。
【０１１７】
続いて、アプリケーションサーバ２（話中終了通知制御部２０６）は、既に話中終了通知を受信しているか否かを確認する。つまり、話中監視登録情報２００に、話中終了通知受信時刻が記憶されているか否かを判定する。そして、話中終了通知を受信している場合には、話中監視登録情報２００から話中終了通知受信時刻を抽出する（Ｓ６１８）。そして、アプリケーションサーバ２は、ガイダンス指示のため、メディアサーバ３に対して、その話中終了通知受信時刻の送信を行い要求応答を受信し（Ｓ６１９，Ｓ６２０）、メディアサーバ３から発信端末５ａに、話中終了通知を受信していることを示すガイダンスが出力される（Ｓ６２１）。例えば、『登録されていた電話番号０Ａ〜Ｊは、通話が終了しています。呼び返すときは、数字の「３」を押してください。』とガイダンスされる。以後、再発信を示す信号（ダイヤル「３」）が、カスタマコントロール情報として送信された場合には、図８のＳ５１５から処理と同様に再発信がなされる。
【０１１８】
このようにすることで、ＩＰ網における通話終了通知サービスにおいて、話中終了通知の受信を確認することができる。つまり、着信端末５ｂの通話が終了したことを確認することができる。
【０１１９】
＜話中終了通知確認（話中終了通知未受信の場合）＞
図１１は、本実施形態に係る話中終了通知確認（ＩＰ網発−ＩＰ網着）における話中終了通知未受信の場合の処理の流れを示すシーケンス図である。
【０１２０】
なお、図１１に示すＳ７０１〜Ｓ７１７までの処理は、図１０に示すＳ６０１〜Ｓ６１７の処理と同様であるので説明を省略する。
【０１２１】
アプリケーションサーバ２（話中終了通知制御部２０６）は、メディアサーバ３からカスタマコントロール情報（「８」）を受信すると、話中終了通知を受信しているか否かを確認する。つまり、話中監視登録情報２００に、話中終了通知受信時刻が記憶されているか否かを判定する。そして、話中終了通知を受信していない場合には、アプリケーションサーバ２は、話中終了通知が未受信であることを示すガイダンス出力指示をメディアサーバ３に送信を行い要求応答を受信し（Ｓ７１９，Ｓ７２０）、メディアサーバ３から発信端末５ａに、話中終了通知が未受信であることを示すガイダンスが出力される（Ｓ７２１）。例えば、「登録中の電話番号０Ａ〜Ｊは、まだ、通話中です。」とガイダンスされる。その後は、図５のＳ２２７またはＳ２２８と同様に、発信者の操作（オンフック、またはオンフックせずにタイムアウト）に応じて、終話処理を行う。
【０１２２】
このようにすることで、ＩＰ網における通話終了通知サービスにおいて、話中終了通知の未受信を確認することができる。つまり、着信端末５ｂの通話が継続中であることを確認することができる。
【０１２３】
＜話中監視登録消去（着側が終話状態の場合）＞
図１２は、本実施形態に係る話中監視登録消去（ＩＰ網発−ＩＰ網着）における着信端末が終話状態の場合の処理の流れを示すシーケンス図である。
【０１２４】
なお、図１２に示すＳ８０１〜Ｓ８０７までの処理は、図１０に示すＳ６０１〜Ｓ６０７の処理と同様であるので説明を省略する。
【０１２５】
着信端末番号と発信端末番号とが、話中監視登録情報２００に、登録済みであることを確認したアプリケーションサーバ２（話中監視登録消去部２０９）は、話中監視登録を消去するか否かの選択入力を促すガイダンス指示のため、メディアサーバ３に対して、着信端末番号およびＬ分監視時刻の送出を行い（Ｓ８０８〜Ｓ８１３）、メディアサーバ３から発信端末５ａに、話中監視登録を消去するか否かの選択入力を促すガイダンスが出力される（Ｓ８１４）。例えば、『現在登録中の電話番号を消去する場合は、数字の「９」を押してください。』とガイダンスされる。
【０１２６】
次に、発信端末５ａから、ガイダンスにしがたって、カスタマコントロール情報（カスコン情報）として、話中監視登録の消去を示す信号（ダイヤル「９」）が送信される（Ｓ８１５）。信号（ダイヤル「９」）を受信したメディアサーバ３は、アプリケーションサーバ２に対して、カスタマコントロール情報（「９」）を送信し（Ｓ８１６）、要求応答信号を受信する（Ｓ８１７）。
【０１２７】
続いて、アプリケーションサーバ２（話中終了通知制御部２０６）は、既に話中終了通知を受信しているか否かを確認する。つまり、話中監視登録情報２００に、話中終了通知受信時刻が記憶されているか否かを判定する。そして、話中終了通知を受信している場合に、アプリケーションサーバ２（話中監視登録消去部２０９）は、話中監視登録情報２００の消去を行う（Ｓ８１８）。そして、アプリケーションサーバ２は、メディアサーバ３に対して、ガイダンス指示を行い要求応答を受信し（Ｓ８１８，Ｓ８１９）、メディアサーバ３から発信端末５ａに、話中監視登録情報２００が消去された旨のメッセージが出力される（Ｓ８２１）。その後は、図５のＳ２２７またはＳ２２８と同様に、発信者の操作（オンフック、またはオンフックせずにタイムアウト）に応じて、終話処理を行う。
【０１２８】
このようにすることで、ＩＰ網における通話終了通知サービスにおいて、話中監視登録情報２００の削除をすることができる。
【０１２９】
＜話中監視登録消去（着側が話中監視中の場合）＞
図１３は、本実施形態に係る話中監視登録消去（ＩＰ網発−ＩＰ網着）における着信端末が話中監視中の場合の処理の流れを示すシーケンス図である。
【０１３０】
なお、図１３に示すＳ９０１〜Ｓ９１７までの処理は、図１２に示すＳ８０１〜Ｓ８１７の処理と同様であるので説明を省略する。
【０１３１】
アプリケーションサーバ２（話中監視登録消去部２０９）は、メディアサーバ３から、カスタマコントロール情報（「９」）を受信すると、話中終了通知を受信しているか否かを確認する。つまり、話中監視登録情報２００に、話中終了通知受信時刻が記憶されているか否かを判定する。そして、話中終了通知を受信していない場合には、アプリケーションサーバ２（話中監視登録消去部２０９）は、話中監視登録情報２００の消去を行い（Ｓ９１８）、メディアサーバ３に対して、話中監視登録を消去した旨のガイダンス指示を行い要求応答を受信する（Ｓ９１９，Ｓ９２０）。
【０１３２】
続いて、アプリケーションサーバ２は、加入者サーバ（着）１ｂに記憶された話中監視情報１５０の消去を指示する話中監視情報消去通知を生成して、加入者サーバ（発）１ａを介して、加入者サーバ（着）１ｂに送信する（Ｓ９２１，Ｓ９２２）。
【０１３３】
話中監視情報消去通知を受信した加入者サーバ（着）１ｂは、話中監視情報１５０の消去を行う（Ｓ９２３）。そして、加入者サーバ（着）１ｂは、話中監視情報１５０を消去した旨を示す要求応答を、加入者サーバ（発）１ｂを介してアプリケーションサーバ２に送信する（Ｓ９２４，Ｓ９２５）。続いて、メディアサーバ３から発信端末５ａに、話中監視登録情報２００が消去された旨のメッセージが出力される（Ｓ９２６）。その後は、図５のＳ２２７またはＳ２２８と同様に、発信者の操作（オンフック、またはオンフックせずにタイムアウト）に応じて、終話処理を行う。
【０１３４】
このようにすることで、ＩＰ網における通話終了通知サービスにおいて、着信端末５ｂの話中監視が継続中の場合に、アプリケーションサーバ２に記憶された話中監視登録情報２００、および加入者サーバ（着）１ｂに記憶された話中監視情報１５０を消去することができる。
【０１３５】
＜話中監視登録タイムアウト＞
図１４は、本実施形態に係る話中監視登録タイムアウト（ＩＰ網発−ＩＰ網着）の処理の流れを示すシーケンス図である。
【０１３６】
まず、図４に示す話中監視登録のＳ２２２において、加入者サーバ（着）１ｂから要求成功（200）を受信したアプリケーションサーバ２は、この要求成功（200）を受信した時刻をＬ分監視時刻として話中監視登録情報２００に記憶し、その経過時間を監視している（Ｓ１００１）。
【０１３７】
そして、アプリケーションサーバ２（話中監視登録タイムアウト判定部２１０）は、Ｌ分監視時刻から所定の時間（Ｌ分）経過すると、着信端末５ｂの監視を終了するＬ分タイムアウトと判定する（Ｓ１００２）。続いて、アプリケーションサーバ２は、ガイダンスのリソースを事前に確保しておくため、メディアサーバ３に対して発呼信号（INVITE）を送信し（Ｓ１００３）、要求応答（200）を受信する（Ｓ１００４）。
【０１３８】
次に、アプリケーションサーバ２は、発信端末５ａを呼出すため、網内発呼により、加入者サーバ（発）１ａに対して、発呼信号（INVITE）の送出を行う（Ｓ１００５）。発呼信号（INVITE）を受信した加入者サーバ（発）１ａは、ＩＰ変換装置４ａに対して発呼信号（INVITE）の送出を行い、発信端末５ａに対して呼出し信号が送出される（Ｓ１００６，Ｓ１００７）。
【０１３９】
呼出し信号に対して、発信端末５ａがオフフックされた場合は、その要求応答（200）がアプリケーションサーバ２に送信され（Ｓ１００８〜Ｓ１０１０）、アプリケーションサーバ２は、メディアサーバ３に対して、更新通知（UPDATE）の送出を行う（Ｓ１０１１）。ここで更新通知（UPDATE）は、更新通知（ACK）を用いてもよい。
【０１４０】
また、アプリケーションサーバ２は、メディアサーバ３に対して、話中監視登録タイムアウトにより、着信端末５ｂの話中監視の終了を示すガイダンス出力指示を送信する（Ｓ１０１２）。そして、アプリケーションサーバ２は、話中監視登録情報２００を消去する（Ｓ１０１３）。続いて、アプリケーションサーバ２は、加入者サーバ（着）１ｂの話中監視情報１５０の消去を指示する話中監視情報消去通知を生成し、加入者サーバ（発）１ａに送信する（Ｓ１０１４）。
【０１４１】
続いて、メディアサーバ３は、アプリケーションサーバ２からのガイダンス出力指示に対する要求応答（200）をアプリケーションサーバ２に送信し（Ｓ１０１５）、着信端末５ｂの話中監視の終了を示すメッセージを発信端末５ａに出力する（Ｓ１０１６）。例えば、「登録からＬ分経ちましたが、電話番号０Ａ〜Ｊの通話が終了しないため、登録を消去しました。」とメッセージを出力する。
【０１４２】
次に、加入者サーバ（発）１ａは、話中監視情報消去通知を加入者サーバ（着）１ｂに送信する（Ｓ１０１７）。話中監視情報消去通知を受信した加入者サーバ（着）１ｂは、話中監視情報１５０の消去を行う（Ｓ１０１８）。そして、加入者サーバ（着）１ｂは、話中監視情報１５０を消去した旨を示す要求応答を、加入者サーバ（発）１ｂを介してアプリケーションサーバ２に送信する（Ｓ１０１９，Ｓ１０１０）。その後は、図５のＳ２２７またはＳ２２８と同様に、発信者の操作（オンフック、またはオンフックせずにタイムアウト）に応じて、終話処理を行う。
【０１４３】
このようにすることで、ＩＰ網における通話終了通知サービスにおいて、着信端末５ｂの通話が所定の時間（Ｌ分）終了しない場合に、話中監視登録情報２００を消去し、話中監視を終了させることができる。
【０１４４】
（２）ＩＰ網発−ＰＳＴＮ着
次に、通話終了通知サービスの対象となる発信端末５ａがＩＰ網に収容され、着信端末５ｂが従来の公衆電話網（ＰＳＴＮ）に収容される場合について説明する。
【０１４５】
図１５は、本実施形態に係る通話終了通知サービスを、ＩＰ網とＰＳＴＮとが接続された通信システム（ＩＰ網発−ＰＳＴＮ着）において提供する構成図である。
【０１４６】
図１５に示すように、ＩＰ網とＰＳＴＮとの間に、関門中継サーバ（ゲートウェイ装置）８が設けられる。この関門中継サーバ８は、ＩＰ網とＰＳＴＮとの相互に接続し、プロトコル変換する装置である。
本通信システムは、発信端末５ａを収容するＩＰ網に、ＩＰ変換装置４（４ａ）、加入者サーバ（発）１（１ａ）、アプリケーションサーバ（発）２、メディアサーバ３、および中継サーバ６を含んで構成される。また、着信端末５ｂを収容するＰＳＴＮには、加入者交換機（着）７ｂ、関門中継交換機９１、および関門信号転送装置９２を含んで構成される。
【０１４７】
関門中継交換機９１は、他の通信網と相互接続するための装置であり、発呼信号や応答信号の中継を行う。関門信号転送装置９２は、通話終了通知サービスを提供するための制御信号を送受信するための装置である。
【０１４８】
以下、発信端末５ａがＩＰ網に収容され、着信端末５ｂがＰＳＴＮに収容される場合の通話終了通知サービスの処理の流れについて、ＩＰ網発−ＩＰ網着で説明した処理と異なる処理について説明する。なお、ＩＰ網発−ＩＰ網着の処理と同一の処理には、同一の符号を付し、説明を省略する。
【０１４９】
＜話中検出＞
図１６は、本実施形態に係る話中検出時の話中検出情報保持（ＩＰ網発−ＰＳＴＮ着）の処理の流れを示すシーケンス図である。
【０１５０】
図３に示すＳ１０１〜Ｓ１０４までの処理と同様の処理を行って、発呼信号（INVITE）を受信した加入者サーバ（発）１ａは、関門中継サーバ８に、その発呼信号（INVITE）を送信する（Ｓ１１０１）。そして、関門中継サーバ８は、ＩＰ網内にプロトコルをＰＳＴＮ内のプロトコルに変換し、その発呼信号（IAM）を関門中継交換機９１を介して、加入者交換機（着）７ｂに送信し、その完了信号（ACM）を受信する（Ｓ１１０２〜Ｓ１１０５）。加入者交換機７ｂは、着信端末５ｂが話中であることを検出する（話中検出）（Ｓ１１０６）。そして、加入者交換機７ｂは、話中検出の経過情報（呼経過（CPG））を送信し（Ｓ１１０７，Ｓ１１０８）、切断信号（REL）に話中監視登録可通知を付して、関門中継サーバ８に送信する（Ｓ１１０９，Ｓ１１１０）。
【０１５１】
話中監視登録可通知が付された切断信号（REL）を受信した関門中継サーバ８は、ＰＳＴＮ内のプロトコルをＩＰ網内のプロトコルに変換し、話中切断信号（486）を加入者サーバ（発）１ａに送信する（Ｓ１１１１）。これ以降の処理は、図３のＳ１１１〜Ｓ１１６までと同様であり、加入者サーバ（発）１ａにおいて、話中検出情報１００が保持される。
【０１５２】
このようにすることで、ＰＳＴＮの加入者交換機７ｂは、着信端末５ｂが通話中であることを検出する。そして、関門中継サーバ８を介して、話中監視登録可通知を受信した加入者サーバ（発）１ａは、着信端末番号と話中検出時刻とを話中検出情報１００として保持することができる。
【０１５３】
＜話中監視登録＞
図１７は、本実施形態に係る話中監視登録（ＩＰ網発−ＰＳＴＮ着）の処理の流れを示すシーケンス図である。
【０１５４】
図４に示すＳ２０１〜Ｓ２１８までと同様の処理を行って、アプリケーションサーバ２から話中監視登録通知を受信した加入者サーバ（発）１ａは、受信した話中監視登録通知を関門中継サーバ８に送信する（Ｓ１２０１）。そして、関門中継サーバ８は、ＩＰ網内にプロトコルをＰＳＴＮ内のプロトコルに変換し、関門信号転送装置９２を介して、話中監視登録通知を加入者交換機７ｂに送信する（Ｓ１２０２，Ｓ１２０３）。続いて、加入者交換機７ｂは、話中監視登録通知に付された着信端末番号および発信端末番号を話中監視情報１５０として登録する（Ｓ１２０８）。加入者交換機７ｂが話中監視登録通知を受信した時刻をＭ分監視時刻として話中監視情報１５０にさらに記憶する。
【０１５５】
そして、加入者交換機７ｂは、登録が完了したことを示す登録結果を、関門信号転送装置９２を介して、関門中継サーバ８に送信する（Ｓ１２０５，Ｓ１２０６）。
【０１５６】
登録結果を受信した関門中継サーバ８は、ＰＳＴＮ内のプロトコルをＩＰ網内のプロトコルに変換し、登録結果を要求成功（200）として、加入者サーバ（発）１ａに送信する（Ｓ１２０７）。これ以降の処理は、図４および図５のＳ２２２〜Ｓ２２８と同様であり、話中監視登録を行った旨のガイダンスが発信端末５ａに出力される。
【０１５７】
このようにすることで、ＩＰ網−ＰＳＴＮ着の通信システムにおける通話終了通知サービスにおいて、ＩＰ網内の発信端末５ａからの通話が、ＰＳＴＮ内の接続先の着信端末５ｂが話中でありつながらない場合に、話中監視登録を行うことができる。
【０１５８】
＜話中終了通知＞
図１８は、本実施形態に係る話中終了通知（ＩＰ網発−ＰＳＴＮ着）の処理の流れを示すシーケンス図である。
【０１５９】
加入者交換機７ｂは、着信端末５ｂの通話が終了するとオンフックを受信する（Ｓ１３０１）。そして加入者交換機７ｂは、Ｋ秒監視を開始する。このＫ秒監視の間、着信端末５ｂがオフフックされなかった場合に、加入者交換機７ｂは、着信端末５ｂの通話が終了したと判定する（終話検出）（Ｓ１３０２）。また、加入者交換機７ｂは、オンフックを受信した時刻と、話中監視情報１５０に記憶したＭ分監視時刻を比較し、その差がＭ分以内であれば、話中監視中であると判定する。なお、Ｍ分を超えている場合は、加入者交換機７ｂは、処理を終了する。
【０１６０】
続いて、加入者交換機７ｂは、着信端末番号および発信端末番号を話中監視情報１５０から抽出し、着信端末番号および発信端末番号を付した話中終了通知を生成する。そして、加入者交換機７ｂは、話中監視情報１５０を削除し（Ｓ１３０３）、関門信号転送装置９２を介して関門中継サーバ８に、話中終了通知を送信する（Ｓ１３０４，Ｓ１３０５）。
【０１６１】
話中終了通知を受信した関門中継サーバ８は、ＰＳＴＮ内のプロトコルをＩＰ網内のプロトコルに変換し、話中終了通知（MESSAGE）を加入者サーバ（発）１ａを介して、アプリケーションサーバ２に送信する（Ｓ１３０６，Ｓ１３０７）。これ以降の処理は、図６のＳ３０７〜Ｓ３２２と同様であり、着信端末５ｂの話中が終了したことのガイダンスが発信端末５ａに出力される。
【０１６２】
このようにすることで、ＩＰ網発−ＰＳＴＮ着の通話終了通知サービスにおいて、ＩＰ網側の発信端末５（５ａ）は、ＰＳＴＮ側の着信端末５（５ｂ）の話中終了の通知を受けることができる。
【０１６３】
＜カスタマコントロールによる再発信＞
図１９および図２０は、本実施形態に係るカスタマコントロールによる再発信（ＩＰ網発−ＰＳＴＮ着）の処理の流れを示すシーケンス図である。
【０１６４】
図８に示すＳ５０１〜Ｓ５１９までと同様の処理を行って、アプリケーションサーバ２から発呼信号（INVITE）を受信した加入者サーバ（発）１ａは、受信した発呼信号（INVITE）を関門中継サーバ８に送信する（Ｓ１４０１）。そして、関門中継サーバ８は、ＩＰ網内にプロトコルをＰＳＴＮ内のプロトコルに変換し、関門中継交換機９１を介して、発呼信号（IAM）を加入者交換機７ｂに送信する（Ｓ１４０２，Ｓ１４０３）。続いて、加入者交換機７ｂは、着信端末５ｂに対し呼出しを送出する（Ｓ１４０４）。
【０１６５】
次に、加入者交換機７ｂは、呼出しの完了信号（ACM/(CPG)）を、関門中継交換機９１を介して関門中継サーバ８に送信する（Ｓ１４０５，Ｓ１４０６）。関門中継サーバ８は、ＰＳＴＮ内のプロトコルをＩＰ網内のプロトコルに変換し、呼出し中（180）を加入者サーバ（発）１ａを介して、アプリケーションサーバ２に送信する（Ｓ１４０７，Ｓ１４０８）。アプリケーションサーバ２は、ＩＰ変換装置４ａに対して、メディアサーバ３から関門中継サーバ８に繋ぎ替えるための更新通知（UPDATE）を送信する（Ｓ１４０９〜Ｓ１４１２）。そして、加入者交換機７ｂからＲＢＴが発信端末５ａに送信される（Ｓ１４１３）。呼出し送出に対して、着信端末５ｂがオフフックとなった場合は、関門中継サーバ８を介して通話処理を行う（図２０のＳ１４１３）。
【０１６６】
このようにすることで、通話終了通知サービスにおいて、ＩＰ網内の発信端末５ａからＰＳＴＮ内の着信端末５ｂに、再発信をすることができる。
【０１６７】
＜話中監視登録消去（着側が話中監視中の場合）＞
図２１は、本実施形態に係る話中監視登録消去（ＩＰ網発−ＰＳＴＮ着）における着信端末が話中監視中の場合の処理の流れを示すシーケンス図である。
【０１６８】
図１３に示すＳ９０１〜Ｓ９２１までと同様の処理を行って、アプリケーションサーバ２からの話中監視情報消去通知（MASSAGE）を受信した加入者サーバ（発）１ａは、受信した話中監視情報消去通知（MASSAGE）を関門中継サーバ８に送信する（Ｓ１５０１）。そして、関門中継サーバ８は、ＩＰ網内にプロトコルをＰＳＴＮ内のプロトコルに変換し、関門信号転送装置９２を介して、話中監視情報消去通知を加入者交換機７ｂに送信する（Ｓ１５０２，Ｓ１５０３）。続いて、加入者交換機７ｂは、話中監視情報消去通知に付された着信端末番号および発信端末番号の話中監視情報１５０を消去する（Ｓ１５０４）。
【０１６９】
次に、加入者交換機７ｂは、話中監視情報１５０を消去した消去結果を、関門信号転送装置９２を介して、関門中継サーバ８に送信する（Ｓ１５０５，Ｓ１５０６）。関門中継サーバ８は、ＰＳＴＮ内のプロトコルをＩＰ網内のプロトコルに変換し、要求応答（200）を加入者サーバ（発）１ａを介して、アプリケーションサーバ２に送信する（Ｓ１５０７，Ｓ１５０８）。そして、図１３のＳ９２６と同様に、メディアサーバ３から、話中監視登録情報２００が消去された旨のメッセージが出力される。
【０１７０】
このようにすることで、ＰＳＴＮ内の着信端末５ｂの話中監視が継続中の場合に、アプリケーションサーバ２に記憶された話中監視登録情報２００、および加入者交換機７ｂに記憶された話中監視情報１５０を消去することができる。
【０１７１】
＜話中監視登録タイムアウト＞
図２２は、本実施形態に係る話中監視登録タイムアウト（ＩＰ網発−ＰＳＴＮ着）の処理の流れを示すシーケンス図である。
【０１７２】
図１４に示すＳ１００１〜Ｓ１０１６までと同様の処理を行って、アプリケーションサーバ２からの話中監視情報消去通知（MASSAGE）を受信（Ｓ１０１４）した加入者サーバ（発）１ａは、受信した話中監視情報消去通知（MASSAGE）を関門中継サーバ８に送信する（Ｓ１６０１）。そして、関門中継サーバ８は、ＩＰ網内のプロトコルをＰＳＴＮ内のプロトコルに変換し、関門信号転送装置９２を介して、話中監視情報消去通知を加入者交換機７ｂに送信する（Ｓ１６０２，Ｓ１６０３）。続いて、加入者交換機７ｂは、話中監視情報消去通知に付された着信端末番号および発信端末番号の話中監視情報１５０を消去する（Ｓ１６０４）。
【０１７３】
次に、加入者交換機７ｂは、話中監視情報１５０を消去した消去結果を、関門信号転送装置９２を介して、関門中継サーバ８に送信する（Ｓ１６０５，Ｓ１６０６）。関門中継サーバ８は、ＰＳＴＮ内のプロトコルをＩＰ網内のプロトコルに変換し、要求応答（200）を加入者サーバ（発）１ａを介して、アプリケーションサーバ２に送信する（Ｓ１６０７，Ｓ１６０８）。
【０１７４】
このようにすることで、ＰＳＴＮ内の着信端末５ｂの通話が所定の時間（Ｌ分）終了しない場合に、アプリケーション２内の話中監視登録情報２００を消去し、さらに、加入者交換機７ｂ内の話中監視情報１５０を消去して、話中監視を終了させることができる。
【０１７５】
（３）ＰＳＴＮ発−ＩＰ網着
次に、通話終了通知サービスの対象となる発信端末５ａが従来のＰＳＴＮに収容され、着信端末５ｂがＩＰ網に収容される場合について説明する。
【０１７６】
図２３は、本実施形態に係る通話終了通知サービスを、ＩＰ網とＰＳＴＮとが接続された通信システム（ＰＳＴＮ発−ＩＰ網着）において提供する構成図である。
【０１７７】
図２３に示すように、ＰＳＴＮ網とＩＰ網との間に、関門中継サーバ（ゲートウェイ装置）８が設けられる。本通信システムは、発信端末５ａを収容するＰＳＴＮ側に、加入者交換機（発）７ａ、関門中継交換機９１、関門信号転送装置９２を含んで構成される。また、着信端末５ｂを収容するＩＰ網側に、ＩＰ変換装置４ｂ、加入者サーバ（着）１ｂ、中継サーバ６を含んで構成される。なお、ＰＳＴＮの加入者交換機７ａには、発信端末５ａにガイダンスを送出するためのガイダンス装置３０（不図示）が中継交換機９０(不図示)を介して接続されているものとする。
【０１７８】
以下、発信端末５ａがＰＳＴＮに収容され、着信端末５ｂがＩＰ網に収容される場合の通話終了通知サービスの処理の流れについて、ＩＰ網発−ＩＰ網着で説明した処理と異なる処理について説明する。なお、ＩＰ網発−ＩＰ網着の処理と同一の処理には、同一の符号を付し、説明を省略する。
【０１７９】
＜話中検出＞
図２４は、本実施形態に係る話中検出時の話中検出保持（ＰＳＴＮ発−ＩＰ網着）の処理の流れを示すシーケンス図である。
【０１８０】
ＰＳＴＮ網に収容される発信端末５ａからＩＰ網に収容される着信端末５ｂに向けてダイヤルが行われ、発呼を受信した加入者交換機７ａは、発呼信号を関門中継交換機９１を介して関門中継サーバ８に送信する（Ｓ１７０１〜Ｓ１７０５，Ｓ１７０８）。関門中継サーバ８は、ＰＳＴＮ内のプロトコルをＩＰ網内のプロトコルに変換し、発呼信号（INVITE）を加入者サーバ（着）１ｂに送信する（Ｓ１７０７）。
【０１８１】
そして、加入者サーバ（着）１ｂは、図３に示すＳ１０６〜Ｓ１０８と同様の処理を行い、着信端末５ｂが話中であると判定する（話中検出）。そして、加入者サーバ（着）１ｂは、受信した話中切断信号（486）に、話中監視登録可通知を付して、関門中継サーバ８に送信し（Ｓ１７０９）、ＩＰ変換装置４ｂに受信確認（ACK）を返信する（Ｓ１１０）。
【０１８２】
関門中継サーバ８は、ＩＰ網内のプロトコルをＰＳＴＮ内のプロトコルに変換し、関門中継交換機９１を介して、話中監視登録可通知を付した話中切断信号（REL）を加入者交換機７ａに送信し（Ｓ１７１０，Ｓ１７１１）、開放通知（RLC）を関門中継サーバ８から受信して（Ｓ１７１２）、受信確認（ACK）を加入者サーバ１ｂに送信する（Ｓ１７１３）。
【０１８３】
加入者交換機７ａは、開放通知（RLC）を関門中継交換機９１に送信し（Ｓ１７１４）、着信端末番号と、その話中切断信号（REL）を受信した時刻を示す話中検出時刻とを、話中検出情報１００として加入者交換機７ａの記憶部に保持する（話中検出情報保持）（Ｓ１７１５）。そして、加入者交換機７ａは、発信端末５ａに着信端末５ｂが通話中であることを示すＢＴ（ビジートーン）が送出し（Ｓ１７１６）、発信端末５ａがオンフックされ処理を終える（Ｓ１７１７）。
【０１８４】
このようにすることで、ＩＰ網の加入者サーバ１ｂは、着信端末５ｂが通話中であることを検出する。そして、関門中継サーバ８を介して、話中監視登録可通知を受信した加入者交換機７ａは、着信端末番号と話中検出時刻とを話中検出情報１００として保持することができる。
【０１８５】
＜話中管理登録＞
図２５は、本実施形態に係る話中監視登録（ＰＳＴＮ発−ＩＰ網着）の処理の流れを示すシーケンス図である。
【０１８６】
発信端末５ａから通話終了通知サービスを示す所定の番号（例えば、ダイヤル「１５９」）が発信され、加入者交換機７ａが受信する（Ｓ１８０１〜Ｓ１８０３）。そして、加入者交換機７ａは、話中検出情報（着信端末番号、話中検出時刻）１００を抽出する（Ｓ１８０４）。そして、加入者交換機７ａは、その話中検出情報１００に付された着信端末番号と対応する発信端末番号とが話中監視登録情報２００に、登録済みか否かを判定する。そして、加入者交換機７ａは、判定の結果、話中監視登録情報２００に未登録の場合に、話中検出情報１００に含まれる話中検出時刻と、通話終了通知サービスの示す所定の番号が付された発呼を受信した時刻とを比較し、所定の時間（Ｎ分）以内か否かを判定する（Ｎ分判定）。そして、加入者交換機７ａは、話中検出時刻からＮ分以内のときに、着信端末番号および発信端末番号を話中監視登録情報２００に仮登録する（Ｓ１８０５）。
【０１８７】
そして、加入者交換機７ａは、話中監視登録を促すガイダンス指示をガイダンス装置３０により発信端末５ａに出力させる（Ｓ１８０６）。
【０１８８】
次に、発信端末５ａから、ガイダンスにしたがって、カスタマコントロール情報（カスコン情報）として話中監視登録を示す信号（ダイヤル「１」）が送信される（Ｓ１８０７）。信号（ダイヤル「１」）を受信した加入者交換機７ａは、話中監視登録要求を関門信号転送装置９２を介して、関門中継サーバ８に送信する（Ｓ１８０８，Ｓ１８０９）。関門中継サーバ８は、ＰＳＴＮ内のプロトコルをＩＰ網内のプロトコルに変換し、話中監視登録通知（MESSAGE）を加入者サーバ（着）１ｂに送信する（Ｓ１８１０）。
【０１８９】
加入者サーバ（着）１ｂは、図４のＳ２２０と同様に、着信端末番号および発信端末番号を話中監視情報１５０として登録する。このとき、加入者サーバ（着）１ｂが話中監視登録通知を受信した時刻をＭ分監視時刻として話中監視情報１５０にさらに記憶する。  そして、加入者サーバ（着）１ｂは、話中監視情報１５０への登録を契機に、要求成功（200）を、関門中継サーバ８に送信する（Ｓ１８１１）。
【０１９０】
要求成功（200）を受信した関門中継サーバ８は、ＩＰ網内のプロトコルをＰＳＴＮ内のプロトコルに変換し、話中監視登録結果を、関門信号転送装置９２を介して、加入者交換機７ａに送信する（Ｓ１８１２，Ｓ１８１３）。そして、加入者交換機７ａは、着信端末番号および発信端末番号を話中監視登録情報２００に登録する（本登録）（Ｓ１８１４）。このとき、加入者交換機７ａが話中監視登録結果を受信した時刻をＬ分監視時刻として話中監視登録情報２００にさらに記憶する。
【０１９１】
話中監視登録情報２００の本登録を行った加入者交換機７ａは、話中監視登録を行った旨のガイダンスを、ガイダンス装置３０から発信端末５ａに出力させる（Ｓ１８１５）。そして、発信端末５ａがオンフックされ処理を終える（Ｓ１８１６）。
【０１９２】
このようにすることで、ＰＳＴＮ発−ＩＰ網着の通信システムにおける通話終了通知サービスにおいて、ＰＳＴＮ内の発信端末５ａからの通話が、ＩＰ網内の着信端末５ｂが話中でつながらない場合に、話中監視登録を行うことができる。
【０１９３】
＜話中終了通知＞
図２６は、本実施形態に係る話中終了通知（ＰＳＴＮ発−ＩＰ網着）の処理の流れを示すシーケンス図である。
【０１９４】
図６に示すＳ３０１〜Ｓ３０４までと同様の処理を行って、加入者サーバ（着）１ｂは、通話終了信号を受信すると、Ｋ秒監視およびＭ分監視を行い、着信端末５ｂの終話を検出する。そして、加入者サーバ（着）１ｂは、話中監視情報１５０を削除し、話中終了通知を生成して、関門中継サーバ８に送信する（Ｓ１９０１）。
【０１９５】
関門中継サーバ８は、ＩＰ網内のプロトコルをＰＳＴＮ内のプロトコルに変換し、話中終了情報を関門信号転送装置９２を介して、加入者交換機７ａに送信する（Ｓ１９０２，Ｓ１９０３）。
【０１９６】
話中終了通知を受信した加入者交換機７ａは、その話中終了情報に含まれる着信端末番号および発信端末番号が話中監視登録情報２００に登録されているか否かを判定する。そして、加入者交換機７ａは、着信端末番号および発信端末番号が登録されている場合には、その話中終了情報を受信した時刻（話中終了通知受信時刻）を、話中監視登録情報２００に記憶する（Ｓ１９０４）。そして、加入者交換機７ａは、発信端末５ａに対して呼出し信号を送信する（Ｓ１９０５）。
【０１９７】
呼出し信号に対して、発信端末５ａがオフフックされた場合（Ｓ１９０６）、加入者交換機７ａは、そのオフフックを受信した時刻を、再発信待ちＪ分監視時刻として、話中監視登録情報２００に登録する（Ｓ１９０７）。続いて、加入者交換機７ａは、着信端末５ｂの話中が終了した旨のガイダンスを、ガイダンス装置３０から発信端末５ａに出力させる（Ｓ１９０８）。そして、発信端末５ａがオンフックされ処理を終える（Ｓ１９０９）。
【０１９８】
このようにすることで、ＰＳＴＮ発−ＩＰ網着の通話終了通知サービスにおいて、ＰＳＴＮ側の発信端末５ａは、ＩＰ網側の着信端末５ｂの話中終了の通知を受信することができる。
【０１９９】
＜カスタマコントロールによる再発信＞
図２７は、本実施形態に係るカスタマコントロールによる再発信（ＰＳＴＮ発−ＩＰ網着）の処理の流れを示すシーケンス図である。
【０２００】
発信端末５ａから通話終了通知サービスを示す所定の番号（例えば、ダイヤル「１５９」）が発信されると（Ｓ２００１〜Ｓ２００３）、加入者交換機７ａは、話中検出情報１００の抽出を行い（Ｓ２００４）、その話中検出情報１００に付された着信端末番号と対応する発信端末番号とが、話中監視登録情報２００に、登録済みか否かを判定し、登録済みであることを確認する（Ｓ２００５）。
【０２０１】
次に、加入者交換機７ａは、再発信を促すガイダンスをガイダンス装置３０から出力させる（Ｓ２００６）。続いて、発信端末５ａから、ガイダンスにしたがって、カスタマコントロール情報（カスコン情報）として再発信を示す信号（ダイヤル「３」）が送信される（Ｓ２００７）。信号（ダイヤル「３」）を受信した加入者交換機７ａは、カスタマコントロール情報（「３」）の受信時刻と話中監視登録情報２００に記憶された再発信待ちＪ分監視時刻とを比較し、その受信時刻がＪ分以内か判定する（Ｓ２００８）。そして、加入者交換機７ａはＪ分以内である場合に、再発信指示のため、関門中継サーバ８に向けて、発呼信号（IAM）を送出（Ｓ２００９〜Ｓ２０１１）した上で、話中監視登録情報２００を消去する。
【０２０２】
発呼信号（IAM）を受信した関門中継サーバ８は、ＰＳＴＮ内のプロトコルをＩＰ網内のプロトコルに変換し、発呼信号（INVITE）を加入者サーバ（着）１ｂに送信し（Ｓ２０１２）、完了信号（ACM）を関門中継交換機９１に送信する（Ｓ２０１３）。
【０２０３】
発呼信号（INVITE）を受信した加入者サーバ（着）１ｂは、図８のＳ５２１〜Ｓ５２３と同様の着信端末５ｂの呼出しを行い、関門中継サーバ８を介して、ＲＢＴを発信端末５ａに送出させる（Ｓ２０１４，Ｓ２０１５）。そして、呼出し送出に対して、着信端末５ｂが応じた（オフフックとなる）場合には、通常の通話接続処理を行う（Ｓ２０１６）。
【０２０４】
このようにすることで、通話終了通知サービスにおいて、ＰＳＴＮ内の発信端末５ａからＩＰ網内の着信端末５ｂに再発信をすることができる。
【０２０５】
＜話中監視登録消去（着側が話中監視中の場合）＞
図２８は、本実施形態に係る話中監視登録消去（ＰＳＴＮ発−ＩＰ網着）における着信端末が話中監視中の場合の処理の流れを示すシーケンス図である。
【０２０６】
なお、図２８に示すＳ２１０１〜Ｓ２１０５までの処理は、図２７に示すＳ２００１〜Ｓ２００５の処理と同様であるので説明を省略する。
【０２０７】
着信端末番号と発信端末番号とが、話中監視登録情報２００に、登録済みであることを確認した加入者交換機７ａは、話中監視登録を消去するか否かの選択入力を促すガイダンス指示を、ガイダンス装置３０に出力させる（Ｓ２１０６）。
【０２０８】
次に、加入者交換機７ａは、カスタマコントロール情報（ダイヤル「９」）を受信すると（Ｓ２１０７）、話中終了通知を受信しているか否かを確認する。つまり、話中監視登録情報２００に、話中終了通知受信時刻が記憶されているか否かを判定する。そして、話中終了通知を受信していない場合には、加入者交換機７ａは、話中監視登録情報２００の消去を行う（Ｓ２１０８）。
【０２０９】
続いて、加入者交換機７ａは、加入者サーバ（着）１ｂに記憶された話中監視情報１５０の消去を指示する話中監視情報消去通知を生成して、関門信号転送装置９２を介して、
関門中継サーバ８に送信する（Ｓ２１０９，Ｓ２１１０）。
【０２１０】
関門中継サーバ８は、ＰＳＴＮ内のプロトコルをＩＰ網内のプロトコルに変換し、話中監視情報消去通知（MESSAGE）を加入者サーバ（着）１ｂに送信する（Ｓ２１１１）。
【０２１１】
話中監視情報消去通知を受信した加入者サーバ（着）１ｂは、図１３のＳ９２３と同様、話中監視情報１５０の消去を行う。そして、加入者サーバ（着）１ｂは、話中監視情報１５０を消去した旨を示す要求応答（200）を、関門中継サーバ８に送信する（Ｓ２１１２）。
【０２１２】
関門中継サーバ８は、ＩＰ網内のプロトコルをＰＳＴＮ内のプロトコルに変換し、消去結果を、関門信号転送装置９２を介して、加入者交換機７ａに送信する（Ｓ２１１３，Ｓ２１１４）。そして、加入者交換機７ａは、話中監視登録情報２００が消去された旨のメッセージをガイダンス装置３０に出力させる（Ｓ２１１５）。
【０２１３】
このようにすることで、ＩＰ網内の着信端末５ｂの話中監視が継続中の場合に、加入者交換機７ａに記憶された話中監視登録情報２００、および加入者サーバ（着）１ｂに記憶された話中監視情報１５０を消去することできる。
【０２１４】
＜話中監視登録タイムアウト＞
図２９は、本実施形態に係る話中監視登録タイムアウト（ＰＳＴＮ発−ＩＰ網着）の処理の流れを示すシーケンス図である。
【０２１５】
まず、図２５に示す話中監視登録のＳ１８１４において、加入者サーバ(着)１ｂから、関門中継サーバ８、関門信号転送装置９２を介して、話中監視登録結果を受信した加入者交換機７ａは、この話中監視登録結果を受信した時刻をＬ分監視時刻として話中監視登録情報２００に記憶し、その経過時間を監視している（Ｓ２２０１）。
【０２１６】
そして、加入者交換機７ａは、Ｌ分監視時刻から所定の時間（Ｌ分）経過すると、着信端末５ｂの監視を終了するＬ分タイムアウトと判定する（Ｓ２２０２）。続いて、加入者交換機７ａは、発信端末５ａに対して呼出し信号を送出する（Ｓ２２０３）。
【０２１７】
呼出し信号に対して、発信端末５ａがオフフックされた場合は（Ｓ２２０４）、加入者交換機７ａは、話中監視登録情報２００を消去する（Ｓ２２０５）。そして、加入者交換機７ａは、ガイダンス装置３０に対して、話中監視登録タイムアウトにより、着信端末５ｂの話中監視を終了する旨のガイダンスを発信端末５ａに出力させる（Ｓ２２０６）。続いて、加入者交換機７ａは、加入者サーバ（着）１ｂの話中監視情報１５０の消去を指示する話中監視情報消去を生成し、関門信号転送装置９２を介して、関門中継サーバ８に送信する（Ｓ２２０７，Ｓ２２０８）。
【０２１８】
関門中継サーバ８は、ＰＳＴＮ内のプロトコルをＩＰ網内のプロトコルに変換し、話中監視情報消去通知（MESSAGE）を加入者サーバ（着）１ｂに送信する（Ｓ２２０９）。そして、加入者サーバ(着)１ｂは、図１４のＳ１０１８と同様に、話中監視情報１５０の消去を行う（Ｓ１０１８）。そして、加入者サーバ（着）１ｂは、話中監視情報１５０を消去した旨を示す要求応答（200）を、関門中継サーバ８に送信する（Ｓ２２１０）。関門中継サーバ８は、ＩＰ網内のプロトコルをＰＳＴＮ内のプロトコルに変換し、消去結果を関門信号転送装置９２を介して、加入者交換機７ａに送信する（Ｓ２２１１，Ｓ２２１２）。その後は、図５のＳ２２７またはＳ２２８と同様に、発信者の操作（オンフック、またはオンフックせずにタイムアウト）に応じて、終話処理を行う。
【０２１９】
このようにすることで、ＩＰ網内の着信端末５ｂの通話が所定の時間（Ｌ分）終了しない場合に、ＰＳＴＮ側の加入者交換機７ａの話中監視登録情報２００を消去し、さらに、ＩＰ網側の加入者サーバ（着）１ｂの話中監視情報１５０を消去して、話中監視を終了させることができる。
【符号の説明】
【０２２０】
１      加入者サーバ
２      アプリケーションサーバ
３      メディアサーバ
４      ＩＰ変換装置
５      端末
６      中継サーバ
７      加入者交換機
８      関門中継サーバ
３０    ガイダンス装置
９０    中継交換機
９１    関門中継交換機
９２    関門信号転送装置
１００  話中検出情報
１５０  話中監視情報
２００  話中監視登録情報
【図１】
2011244042.tif 000003
【図２】
2011244042.tif 000004
【図３】
2011244042.tif 000005
【図４】
2011244042.tif 000006
【図５】
2011244042.tif 000007
【図６】
2011244042.tif 000008
【図７】
2011244042.tif 000009
【図８】
2011244042.tif 000010
【図９】
2011244042.tif 000011
【図１０】
2011244042.tif 000012
【図１１】
2011244042.tif 000013
【図１２】
2011244042.tif 000014
【図１３】
2011244042.tif 000015
【図１４】
2011244042.tif 000016
【図１５】
2011244042.tif 000017
【図１６】
2011244042.tif 000018
【図１７】
2011244042.tif 000019
【図１８】
2011244042.tif 000020
【図１９】
2011244042.tif 000021
【図２０】
2011244042.tif 000022
【図２１】
2011244042.tif 000023
【図２２】
2011244042.tif 000024
【図２３】
2011244042.tif 000025
【図２４】
2011244042.tif 000026
【図２５】
2011244042.tif 000027
【図２６】
2011244042.tif 000028
【図２７】
2011244042.tif 000029
【図２８】
2011244042.tif 000030
【図２９】
2011244042.tif 000031
【図３０】
2011244042.tif 000032
【図３１】
2011244042.tif 000033
【図３２】
2011244042.tif 000034
【図３３】
2011244042.tif 000035
【図３４】
2011244042.tif 000036